(57)【要約】【課題】現場での生コンクリートの使用量を大幅に削減することができ、かつ、地盤改良を原則として行う必要がない、直接基礎形式の基礎構造を備えた堤体を提供する。【解決手段】支持地盤１上に設置された直接基礎形式の基礎構造１０と、該基礎構造１０の上部に構築された上部構造４０とを備えてなる堤体９０であって、前記基礎構造１０は、上下方向に貫通する基礎貫通孔を有し、該基礎貫通孔の内面に基礎さや管を有する複数の基礎ブロック１２、１４と、複数の前記基礎ブロック１２、１４を上下方向に連結する基礎連結用鋼材１６と、を備え、前記上部構造４０は、前記基礎構造１０に支持されたプレキャストフーチング４２と、該プレキャストフーチング４２の上方に配置され、面内方向に貫通する壁体貫通孔４４Ｘを有し、該壁体貫通孔４４Ｘの内面に壁体さや管４４Ａを有するプレキャスト壁体４４と、を備える。【選択図】図１６
2015040440.tif 000002
【特許請求の範囲】
【請求項１】
支持地盤上に設置された直接基礎形式の基礎構造と、該基礎構造の上部に構築された上部構造とを備えてなる堤体であって、
前記基礎構造は、
上下方向に貫通する基礎貫通孔を有し、該基礎貫通孔の内面に基礎さや管を有する複数の基礎ブロックと、
複数の前記基礎ブロックを上下方向に連結する基礎連結用鋼材と、
を備え、
前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、
さらに、前記基礎ブロックの前記基礎さや管と該基礎さや管に差し込まれた前記基礎連結用鋼材とは一体化されており、また、前記基礎連結用鋼材の上端部は最上段の前記基礎ブロックの上面よりも上方に突出しており、
前記上部構造は、
前記基礎構造に支持されたプレキャストフーチングと、
該プレキャストフーチングの上方に配置され、面内方向に貫通する壁体貫通孔を有し、該壁体貫通孔の内面に壁体さや管を有するプレキャスト壁体と、
を備え、
前記プレキャストフーチングは厚さ方向に貫通するフーチング貫通孔を有し、該フーチング貫通孔の内面には突出さや管が備えられ、該突出さや管は前記プレキャストフーチングの上面よりも上方の位置まで延伸し、該突出さや管には前記基礎構造の前記基礎連結用鋼材の前記上端部が差し込まれ、
前記突出さや管は前記プレキャスト壁体の前記壁体さや管に差し込まれ、
前記突出さや管と該突出さや管に差し込まれた前記基礎連結用鋼材とは一体化されていることを特徴とする堤体。
【請求項２】
支持地盤上に設置された直接基礎形式の基礎構造と、該基礎構造の上部に構築された上部構造とを備えてなる堤体であって、
前記基礎構造は複数の基礎ブロック構造を備え、
該基礎ブロック構造は、
上下方向に貫通する基礎貫通孔を有し、該基礎貫通孔の内面に基礎さや管を有する複数の基礎ブロックと、
該複数の基礎ブロックを上下方向に連結する基礎連結用鋼材と、
を有し、
前記基礎ブロック構造において、前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、
また、前記基礎ブロック構造において、前記基礎ブロックの前記基礎さや管と該基礎さや管に差し込まれた前記基礎連結用鋼材とは一体化されており、また、前記基礎連結用鋼材の上端部は最上段の前記基礎ブロックの上面よりも上方に突出しており、
さらに、前記基礎ブロック構造同士はお互いに対向するように、かつ、最下段の前記基礎ブロックの前記張り出した部位同士がお互いに近接して対向するように配置されており、
お互いに近接して対向する前記張り出した部位同士の上方には中詰め材が充填されており、
前記上部構造は、
前記基礎構造に支持されたプレキャストフーチングと、
該プレキャストフーチングの上方に配置され、面内方向に貫通する壁体貫通孔を有し、該壁体貫通孔の内面に壁体さや管を有するプレキャスト壁体と、
を備え、
前記プレキャストフーチングは厚さ方向に貫通するフーチング貫通孔を有し、該フーチング貫通孔の内面には前記プレキャストフーチングの上面よりも上方の位置まで延伸している突出さや管が備えられ、
また、前記プレキャストフーチングは少なくとも下方に開口した下方開口孔を、前記フーチング貫通孔に対して前記プレキャスト壁体の法線方向と略直交する方向に間隔を開けて有し、該下方開口孔の内面には前記プレキャストフーチングの上面および下面の間に収まるフーチング内さや管が備えられ、
前記プレキャスト壁体の前記壁体さや管には前記突出さや管が差し込まれ、該突出さや管には、前記基礎構造の前記基礎連結用鋼材の前記上端部が差し込まれ、
また、前記フーチング内さや管には、前記基礎構造の他の前記基礎連結用鋼材の前記上端部が差し込まれ、
前記突出さや管と該突出さや管に差し込まれた前記基礎連結用鋼材とは一体化され、かつ、前記フーチング内さや管と該フーチング内さや管に差し込まれた前記基礎連結用鋼材とは一体化されていることを特徴とする堤体。
【請求項３】
支持地盤上に設置された直接基礎形式の基礎構造と、該基礎構造の上部に構築された上部構造とを備えてなる堤体であって、
前記基礎構造は、
上下方向に貫通する基礎貫通孔を有し、該基礎貫通孔の内面に基礎さや管を有する複数の基礎ブロックと、
複数の前記基礎ブロックを上下方向に連結する基礎連結用鋼材と、
を備え、
前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、
さらに、前記基礎ブロックの前記基礎さや管と該基礎さや管に差し込まれた前記基礎連結用鋼材とは一体化されており、また、前記基礎連結用鋼材の上端部は最上段の前記基礎ブロックの上面よりも上方に突出しており、
前記上部構造は、
前記基礎構造に支持されたプレキャストフーチングと、
該プレキャストフーチングの上方に配置され、面内方向に貫通する壁体貫通孔を有し、該壁体貫通孔の内面に壁体さや管を有するプレキャスト壁体と、
前記プレキャスト壁体および前記プレキャストフーチングを連結する壁体連結用鋼材と、
を備え、
前記プレキャストフーチングは少なくとも上方に開口した上方開口孔を有し、該上方開口孔の内面には前記プレキャストフーチングの上面よりも上方の位置まで延伸している突出さや管が備えられ、
また、前記プレキャストフーチングは少なくとも下方に開口した下方開口孔を、前記上方開口孔に対して前記プレキャスト壁体の法線方向と略直交する方向に間隔を開けて有し、該下方開口孔の内面には前記プレキャストフーチングの上面および下面の間に収まるフーチング内さや管が備えられ、
前記プレキャスト壁体の前記壁体さや管には前記突出さや管が差し込まれ、該突出さや管には前記壁体連結用鋼材が差し込まれ、
前記プレキャストフーチングの前記フーチング内さや管には前記基礎構造の前記基礎連結用鋼材の前記上端部が差し込まれ、
前記突出さや管と該突出さや管に差し込まれた前記壁体連結用鋼材とは一体化され、かつ、前記フーチング内さや管と該フーチング内さや管に差し込まれた前記基礎連結用鋼材とは一体化されており、
さらに、前記突出さや管と前記フーチング内さや管との間を連結する法直連結鋼材が前記プレキャストフーチング内に備えられていることを特徴とする堤体。
【請求項４】
支持地盤上に設置された直接基礎形式の基礎構造と、該基礎構造の上部に構築された上部構造とを備えてなる堤体であって、
前記基礎構造は複数の基礎ブロック構造を備え、
該基礎ブロック構造は、
上下方向に貫通する基礎貫通孔を有し、該基礎貫通孔の内面に基礎さや管を有する複数の基礎ブロックと、
該複数の基礎ブロックを上下方向に連結する基礎連結用鋼材と、
を有し、
前記基礎ブロック構造において、前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、
また、前記基礎ブロック構造において、前記基礎ブロックの前記基礎さや管と該基礎さや管に差し込まれた前記基礎連結用鋼材とは一体化されており、また、前記基礎連結用鋼材の上端部は最上段の前記基礎ブロックの上面よりも上方に突出しており、
さらに、前記基礎ブロック構造同士はお互いに対向するように、かつ、最下段の前記基礎ブロックの前記張り出した部位同士がお互いに近接して対向するように配置されており、
お互いに近接して対向する前記張り出した部位同士の上方には中詰め材が充填されており、
前記上部構造は、
前記基礎構造に支持されたプレキャストフーチングと、
該プレキャストフーチングの上方に配置され、面内方向に貫通する壁体貫通孔を有し、該壁体貫通孔の内面に壁体さや管を有するプレキャスト壁体と、
前記プレキャスト壁体および前記プレキャストフーチングを連結する壁体連結用鋼材と、
を備え、
前記プレキャストフーチングは少なくとも上方に開口した上方開口孔を有し、該上方開口孔の内面には前記プレキャストフーチングの上面よりも上方の位置まで延伸している突出さや管が備えられ、
また、前記プレキャストフーチングは少なくとも下方に開口した下方開口孔を、前記上方開口孔に対して前記プレキャスト壁体の法線方向と略直交する方向に間隔を開けて複数有し、かつ、前記上方開口孔は複数の前記下方開口孔の間に位置しており、前記複数の下方開口孔の内面には前記プレキャストフーチングの上面および下面の間に収まるフーチング内さや管がそれぞれ備えられ、
前記プレキャスト壁体の前記壁体さや管には前記突出さや管が差し込まれ、該突出さや管には前記壁体連結用鋼材が差し込まれ、
前記プレキャストフーチングの前記複数のフーチング内さや管には前記基礎構造の前記基礎連結用鋼材の前記上端部がそれぞれ差し込まれ、
前記突出さや管と該突出さや管に差し込まれた前記壁体連結用鋼材とは一体化され、かつ、前記フーチング内さや管と該フーチング内さや管に差し込まれた前記基礎連結用鋼材とは一体化されており、
さらに、前記突出さや管と前記フーチング内さや管との間を連結する法直連結鋼材が前記プレキャストフーチング内に備えられていることを特徴とする堤体。
【請求項５】
支持地盤上に設置された直接基礎形式の基礎構造と、該基礎構造の上部に構築された上部構造とを備えてなる堤体であって、
前記基礎構造は複数の基礎ブロック構造を備え、
該基礎ブロック構造は、
上下方向に貫通する基礎貫通孔を有し、該基礎貫通孔の内面に基礎さや管を有する複数の基礎ブロックと、
該複数の基礎ブロックを上下方向に連結する基礎連結用鋼材と、
を有し、
前記基礎ブロック構造において、前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、
また、前記基礎ブロック構造において、前記基礎ブロックの前記基礎さや管と該基礎さや管に差し込まれた前記基礎連結用鋼材とは一体化されており、また、前記基礎連結用鋼材の上端部は最上段の前記基礎ブロックの上面よりも上方に突出しており、
さらに、前記基礎ブロック構造同士はお互いに対向するように、かつ、最下段の前記基礎ブロックの前記張り出した部位同士がお互いに近接して対向するように配置されており、
お互いに近接して対向する前記張り出した部位同士の上方には中詰め材が充填されており、
前記上部構造は、
前記基礎構造に支持されたプレキャストフーチングと、
該プレキャストフーチングの上方に配置され、面内方向に貫通する壁体貫通孔を有し、該壁体貫通孔の内面に壁体さや管を有するプレキャスト壁体と、
前記プレキャスト壁体および前記プレキャストフーチングを連結する壁体連結用鋼材と、
を備え、
前記プレキャストフーチングは少なくとも上方に開口した上方開口孔を有し、該上方開口孔の内面には前記プレキャストフーチングの上面よりも上方の位置まで延伸している突出さや管が備えられ、
また、前記プレキャストフーチングは少なくとも下方に開口した下方開口孔を、前記上方開口孔に対して前記プレキャスト壁体の法線方向と略直交する方向に間隔を開けて複数有し、かつ、前記上方開口孔は複数の前記下方開口孔の間に位置しておらず、前記複数の下方開口孔の内面には前記プレキャストフーチングの上面および下面の間に収まるフーチング内さや管がそれぞれ備えられ、
前記プレキャスト壁体の前記壁体さや管には前記突出さや管が差し込まれ、該突出さや管には前記壁体連結用鋼材が差し込まれ、
前記プレキャストフーチングの前記複数のフーチング内さや管には前記基礎構造の前記基礎連結用鋼材の前記上端部がそれぞれ差し込まれ、
前記突出さや管と該突出さや管に差し込まれた前記壁体連結用鋼材とは一体化され、かつ、前記フーチング内さや管と該フーチング内さや管に差し込まれた前記基礎連結用鋼材とは一体化されており、
さらに、前記突出さや管と前記フーチング内さや管との間を連結する法直連結鋼材、および前記プレキャスト壁体の法線方向と略直交する方向に隣り合うフーチング内さや管同士の間を連結する法直連結鋼材が前記プレキャストフーチング内に備えられていることを特徴とする堤体。
【請求項６】
前記上部構造の法線方向は、前記基礎ブロックが上下方向に複数積み重ねられて形成された前記基礎ブロック構造の壁面と略平行な水平方向であることを特徴とする請求項２、４、５のいずれかに記載の堤体。
【請求項７】
前記上部構造の法線方向は、前記基礎ブロックが上下方向に複数積み重ねられて形成された前記基礎ブロック構造の壁面と略直交する方向であることを特徴とする請求項２、４、５のいずれかに記載の堤体。
【請求項８】
前記中詰め材は、土および砂のうちの少なくともいずれか一方であることを特徴とする請求項２、４、５のいずれかに記載の堤体。
【請求項９】
請求項１〜８のいずれかに記載の堤体において、前記プレキャスト壁体を、面内方向に延びて下方のみ開口した壁体孔を有し、該壁体孔の内面に壁体さや管を有するプレキャスト壁体に置き換えたことを特徴とする堤体。
【請求項１０】
支持地盤上に設置された直接基礎形式の基礎構造と、該基礎構造の上部に構築された上部構造とを備えてなる堤体であって、
前記基礎構造は、
上下方向に貫通する基礎貫通孔を有し、該基礎貫通孔の内面に基礎さや管を有する複数の基礎ブロックと、
複数の前記基礎ブロックを上下方向に連結する基礎連結用鋼材と、
を備え、
前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、
さらに、前記基礎ブロックの前記基礎さや管と該基礎さや管に差し込まれた前記基礎連結用鋼材とは一体化されており、また、前記基礎連結用鋼材の上端部は最上段の前記基礎ブロックの上面よりも上方に突出しており、
前記上部構造は、
前記基礎構造に支持されたプレキャストフーチングと、
該プレキャストフーチングの上方に配置され、面内方向に貫通する壁体貫通孔を有し、該壁体貫通孔の内面には壁体さや管を有する複数のプレキャスト壁体と、
を備え、
前記プレキャストフーチングは厚さ方向に貫通するフーチング貫通孔を有し、該フーチング貫通孔の内面には突出さや管が備えられ、該突出さや管は前記プレキャストフーチングの上面よりも上方の位置まで延伸し、該突出さや管には前記基礎構造の前記基礎連結用鋼材の前記上端部が差し込まれ、
前記プレキャスト壁体は、前記壁体貫通孔同士が連結するように上下方向に複数積み重ねられ、上下方向に複数積み重ねられた前記プレキャスト壁体のうち少なくとも最下段の前記プレキャスト壁体の前記壁体さや管には前記突出さや管が差し込まれるとともに、該突出さや管に差し込まれた前記基礎連結用鋼材の前記上端部は上下方向に複数積み重ねられた前記プレキャスト壁体の前記壁体さや管に差し込まれて最上段の前記プレキャスト壁体の天端付近に達しており、
前記突出さや管と該突出さや管に差し込まれた前記基礎連結用鋼材とは一体化されていることを特徴とする堤体。
【請求項１１】
支持地盤上に設置された直接基礎形式の基礎構造と、該基礎構造の上部に構築された上部構造とを備えてなる堤体であって、
前記基礎構造は複数の基礎ブロック構造を備え、
該基礎ブロック構造は、
上下方向に貫通する基礎貫通孔を有し、該基礎貫通孔の内面に基礎さや管を有する複数の基礎ブロックと、
該複数の基礎ブロックを上下方向に連結する基礎連結用鋼材と、
を有し、
前記基礎ブロック構造において、前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、
また、前記基礎ブロック構造において、前記基礎ブロックの前記基礎さや管と該基礎さや管に差し込まれた前記基礎連結用鋼材とは一体化されており、また、前記基礎連結用鋼材の上端部は最上段の前記基礎ブロックの上面よりも上方に突出しており、
さらに、前記基礎ブロック構造同士はお互いに対向するように、かつ、最下段の前記基礎ブロックの前記張り出した部位同士がお互いに近接して対向するように配置されており、
お互いに近接して対向する前記張り出した部位同士の上方には中詰め材が充填されており、
前記上部構造は、
前記基礎構造に支持されたプレキャストフーチングと、
該プレキャストフーチングの上方に配置され、面内方向に貫通する壁体貫通孔を有し、該壁体貫通孔の内面には壁体さや管を有する複数のプレキャスト壁体と、
を備え、
前記プレキャストフーチングは厚さ方向に貫通するフーチング貫通孔を有し、該フーチング貫通孔の内面には前記プレキャストフーチングの上面よりも上方の位置まで延伸している突出さや管が備えられ、
また、前記プレキャストフーチングは少なくとも下方に開口した下方開口孔を、前記フーチング貫通孔に対して前記プレキャスト壁体の法線方向と略直交する方向に間隔を開けて有し、該下方開口孔の内面には前記フーチングの上面および下面の間に収まるフーチング内さや管が備えられ、
前記突出さや管には、前記基礎構造の前記基礎連結用鋼材の前記上端部が差し込まれ、前記フーチング内さや管には、前記基礎構造の他の前記基礎連結用鋼材の前記上端部が差し込まれ、
前記プレキャスト壁体は、前記壁体貫通孔同士が連結するように上下方向に複数積み重ねられ、上下方向に複数積み重ねられた前記プレキャスト壁体のうち少なくとも最下段の前記プレキャスト壁体の前記壁体さや管には前記突出さや管が差し込まれるとともに、該突出さや管に差し込まれた前記基礎連結用鋼材の前記上端部は上下方向に複数積み重ねられた前記プレキャスト壁体の前記壁体さや管に差し込まれて最上段の前記プレキャスト壁体の天端付近に達しており、
前記突出さや管と該突出さや管に差し込まれた前記基礎連結用鋼材とは一体化され、かつ、前記フーチング内さや管と該フーチング内さや管に差し込まれた前記基礎連結用鋼材とは一体化されていることを特徴とする堤体。
【請求項１２】
支持地盤上に設置された直接基礎形式の基礎構造と、該基礎構造の上部に構築された上部構造とを備えてなる堤体であって、
前記基礎構造は、
上下方向に貫通する基礎貫通孔を有し、該基礎貫通孔の内面に基礎さや管を有する複数の基礎ブロックと、
複数の前記基礎ブロックを上下方向に連結する基礎連結用鋼材と、
を備え、
前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、
さらに、前記基礎ブロックの前記基礎さや管と該基礎さや管に差し込まれた前記基礎連結用鋼材とは一体化されており、また、前記基礎連結用鋼材の上端部は最上段の前記基礎ブロックの上面よりも上方に突出しており、
前記上部構造は、
前記基礎構造に支持されたプレキャストフーチングと、
該プレキャストフーチングの上方に配置され、面内方向に貫通する壁体貫通孔を有し、該壁体貫通孔の内面に壁体さや管を有する複数のプレキャスト壁体と、
前記プレキャスト壁体および前記プレキャストフーチングを連結する壁体連結用鋼材と、
を備え、
前記プレキャストフーチングは少なくとも上方に開口した上方開口孔を有し、該上方開口孔の内面には前記プレキャストフーチングの上面よりも上方の位置まで延伸している突出さや管が備えられ、該突出さや管には前記壁体連結用鋼材が差し込まれ、
また、前記プレキャストフーチングは少なくとも下方に開口した下方開口孔を、前記上方開口孔に対して前記プレキャスト壁体の法線方向と略直交する方向に間隔を開けて有し、該下方開口孔の内面には前記プレキャストフーチングの上面および下面の間に収まるフーチング内さや管が備えられ、該フーチング内さや管には前記基礎構造の前記基礎連結用鋼材の前記上端部が差し込まれ、
前記プレキャスト壁体は、前記壁体貫通孔同士が連結するように上下方向に複数積み重ねられ、上下方向に複数積み重ねられた前記プレキャスト壁体のうち少なくとも最下段の前記プレキャスト壁体の前記壁体さや管には前記突出さや管が差し込まれるとともに、該突出さや管に差し込まれた前記壁体連結用鋼材は上下方向に複数積み重ねられた前記プレキャスト壁体の前記壁体さや管に差し込まれて最上段の前記プレキャスト壁体の天端付近に達しており、
前記突出さや管と該突出さや管に差し込まれた前記壁体連結用鋼材とは一体化され、かつ、前記フーチング内さや管と該フーチング内さや管に差し込まれた前記基礎連結用鋼材とは一体化されており、
さらに、前記突出さや管と前記フーチング内さや管との間を連結する法直連結鋼材が前記プレキャストフーチング内に備えられていることを特徴とする堤体。
【請求項１３】
支持地盤上に設置された直接基礎形式の基礎構造と、該基礎構造の上部に構築された上部構造とを備えてなる堤体であって、
前記基礎構造は複数の基礎ブロック構造を備え、
該基礎ブロック構造は、
上下方向に貫通する基礎貫通孔を有し、該基礎貫通孔の内面に基礎さや管を有する複数の基礎ブロックと、
該複数の基礎ブロックを上下方向に連結する基礎連結用鋼材と、
を有し、
前記基礎ブロック構造において、前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、
また、前記基礎ブロック構造において、前記基礎ブロックの前記基礎さや管と該基礎さや管に差し込まれた前記基礎連結用鋼材とは一体化されており、また、前記基礎連結用鋼材の上端部は最上段の前記基礎ブロックの上面よりも上方に突出しており、
さらに、前記基礎ブロック構造同士はお互いに対向するように、かつ、最下段の前記基礎ブロックの前記張り出した部位同士がお互いに近接して対向するように配置されており、
お互いに近接して対向する前記張り出した部位同士の上方には中詰め材が充填されており、
前記上部構造は、
前記基礎構造に支持されたプレキャストフーチングと、
該プレキャストフーチングの上方に配置され、面内方向に貫通する壁体貫通孔を有し、該壁体貫通孔の内面に壁体さや管を有する複数のプレキャスト壁体と、
前記プレキャスト壁体および前記プレキャストフーチングを連結する壁体連結用鋼材と、
を備え、
前記プレキャストフーチングは少なくとも上方に開口した上方開口孔を有し、該上方開口孔の内面には前記プレキャストフーチングの上面よりも上方の位置まで延伸している突出さや管が備えられ、該突出さや管には前記壁体連結用鋼材が差し込まれ、
また、前記プレキャストフーチングは少なくとも下方に開口した下方開口孔を、前記上方開口孔に対して前記プレキャスト壁体の法線方向と略直交する方向に間隔を開けて複数有し、かつ、前記上方開口孔は複数の前記下方開口孔の間に位置しており、前記複数の下方開口孔の内面には前記プレキャストフーチングの上面および下面の間に収まるフーチング内さや管がそれぞれ備えられ、前記複数のフーチング内さや管には前記基礎構造の前記基礎連結用鋼材の前記上端部がそれぞれ差し込まれ、
前記プレキャスト壁体は、前記壁体貫通孔同士が連結するように上下方向に複数積み重ねられ、上下方向に複数積み重ねられた前記プレキャスト壁体のうち少なくとも最下段の前記プレキャスト壁体の前記壁体さや管には前記突出さや管が差し込まれるとともに、該突出さや管に差し込まれた前記壁体連結用鋼材は上下方向に複数積み重ねられた前記プレキャスト壁体の前記壁体さや管に差し込まれて最上段の前記プレキャスト壁体の天端付近に達しており、
前記突出さや管と該突出さや管に差し込まれた前記壁体連結用鋼材とは一体化され、かつ、前記フーチング内さや管と該フーチング内さや管に差し込まれた前記基礎連結用鋼材とは一体化されており、
さらに、前記突出さや管と前記フーチング内さや管との間を連結する法直連結鋼材が前記プレキャストフーチング内に備えられていることを特徴とする堤体。
【請求項１４】
支持地盤上に設置された直接基礎形式の基礎構造と、該基礎構造の上部に構築された上部構造とを備えてなる堤体であって、
前記基礎構造は複数の基礎ブロック構造を備え、
該基礎ブロック構造は、
上下方向に貫通する基礎貫通孔を有し、該基礎貫通孔の内面に基礎さや管を有する複数の基礎ブロックと、
該複数の基礎ブロックを上下方向に連結する基礎連結用鋼材と、
を有し、
前記基礎ブロック構造において、前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、
また、前記基礎ブロック構造において、前記基礎ブロックの前記基礎さや管と該基礎さや管に差し込まれた前記基礎連結用鋼材とは一体化されており、また、前記基礎連結用鋼材の上端部は最上段の前記基礎ブロックの上面よりも上方に突出しており、
さらに、前記基礎ブロック構造同士はお互いに対向するように、かつ、最下段の前記基礎ブロックの前記張り出した部位同士がお互いに近接して対向するように配置されており、
お互いに近接して対向する前記張り出した部位同士の上方には中詰め材が充填されており、
前記上部構造は、
前記基礎構造に支持されたプレキャストフーチングと、
該プレキャストフーチングの上方に配置され、面内方向に貫通する壁体貫通孔を有し、該壁体貫通孔の内面に壁体さや管を有する複数のプレキャスト壁体と、
前記プレキャスト壁体および前記プレキャストフーチングを連結する壁体連結用鋼材と、
を備え、
前記プレキャストフーチングは少なくとも上方に開口した上方開口孔を有し、該上方開口孔の内面には前記プレキャストフーチングの上面よりも上方の位置まで延伸している突出さや管が備えられ、該突出さや管には前記壁体連結用鋼材が差し込まれ、
また、前記プレキャストフーチングは少なくとも下方に開口した下方開口孔を、前記上方開口孔に対して前記プレキャスト壁体の法線方向と略直交する方向に間隔を開けて複数有し、かつ、前記上方開口孔は複数の前記下方開口孔の間に位置しておらず、前記複数の下方開口孔の内面には前記プレキャストフーチングの上面および下面の間に収まるフーチング内さや管がそれぞれ備えられ、前記複数のフーチング内さや管には前記基礎構造の前記基礎連結用鋼材の前記上端部がそれぞれ差し込まれ、
前記プレキャスト壁体は、前記壁体貫通孔同士が連結するように上下方向に複数積み重ねられ、上下方向に複数積み重ねられた前記プレキャスト壁体のうち少なくとも最下段の前記プレキャスト壁体の前記壁体さや管には前記突出さや管が差し込まれるとともに、該突出さや管に差し込まれた前記壁体連結用鋼材は上下方向に複数積み重ねられた前記プレキャスト壁体の前記壁体さや管に差し込まれて最上段の前記プレキャスト壁体の天端付近に達しており、
前記突出さや管と該突出さや管に差し込まれた前記壁体連結用鋼材とは一体化され、かつ、前記フーチング内さや管と該フーチング内さや管に差し込まれた前記基礎連結用鋼材とは一体化されており、
さらに、前記突出さや管と前記フーチング内さや管との間を連結する法直連結鋼材、および前記プレキャスト壁体の法線方向と略直交する方向に隣り合うフーチング内さや管同士の間を連結する法直連結鋼材が前記プレキャストフーチング内に備えられていることを特徴とする堤体。
【請求項１５】
前記上部構造の法線方向は、前記基礎ブロックが上下方向に複数積み重ねられて形成された前記基礎ブロック構造の壁面と略平行な水平方向であることを特徴とする請求項１１、１３、１４のいずれかに記載の堤体。
【請求項１６】
前記上部構造の法線方向は、前記基礎ブロックが上下方向に複数積み重ねられて形成された前記基礎ブロック構造の壁面と略直交する方向であることを特徴とする請求項１１、１３、１４のいずれかに記載の堤体。
【請求項１７】
前記中詰め材は、土および砂のうちの少なくともいずれか一方であることを特徴とする請求項１１、１３、１４のいずれかに記載の堤体。
【請求項１８】
請求項１０〜１７のいずれかに記載の堤体において、上下方向に複数積み重ねられた前記プレキャスト壁体のうちの最上段のプレキャスト壁体を、面内方向に延びて下方のみ開口した壁体孔を有し、該壁体孔の内面に壁体さや管を有するプレキャスト壁体に置き換えたことを特徴とする堤体。
【請求項１９】
前記突出さや管と該突出さや管に差し込まれた前記基礎構造の前記基礎連結用鋼材との間隙にはグラウト材が充填されていることを特徴とする請求項１、２、１０、１１のいずれかに記載の堤体。
【請求項２０】
前記フーチング内さや管と該フーチング内さや管に差し込まれた前記基礎構造の前記基礎連結用鋼材との間隙にはグラウト材が充填されていることを特徴とする請求項２〜５、１１〜１４のいずれかに記載の堤体。
【請求項２１】
前記突出さや管と該突出さや管に差し込まれた前記壁体連結用鋼材との間隙にはグラウト材が充填されていることを特徴とする請求項３〜５、１２〜１４のいずれかに記載の堤体。
【請求項２２】
前記壁体連結用鋼材は鋼管または形鋼であることを特徴とする請求項３〜５、１２〜１４のいずれかに記載の堤体。
【請求項２３】
前記壁体連結用鋼材は鋼板からビルドアップして製作されていることを特徴とする請求項３〜５、１２〜１４のいずれかに記載の堤体。
【請求項２４】
前記基礎連結用鋼材は鋼管または形鋼であることを特徴とする請求項１〜２３のいずれかに記載の堤体。
【請求項２５】
前記基礎連結用鋼材は鋼板からビルドアップして製作されていることを特徴とする請求項１〜２３のいずれかに記載の堤体。
【請求項２６】
前記基礎さや管と該基礎さや管に差し込まれた前記基礎連結用鋼材との間隙にはグラウト材が充填されていることを特徴とする請求項１〜２５のいずれかに記載の堤体。
【請求項２７】
請求項１〜２６のいずれかに記載の堤体において、上下方向に複数積み重ねられた前記基礎ブロックのうちの最下段の基礎ブロックを、上方のみ開口した非貫通孔を有し、該非貫通孔の内面に基礎さや管を有し、かつ、水平方向に張り出した部位を有する基礎ブロックに置き換えたことを特徴とする堤体。
【発明の詳細な説明】
【技術分野】
【０００１】
本発明は、杭を用いずに支持地盤上に設置された直接基礎形式の基礎構造と、該基礎構造の上部に構築された上部構造とを備えてなる堤体に関し、特に、プレキャスト化された基礎ブロックが複数段積み重ねられて基礎構造が形成され、プレキャスト化されたフーチングおよび壁体を用いて上部構造が形成された堤体に関する。
【背景技術】
【０００２】
構造物を下方から支持する基礎構造の１つに杭基礎構造がある。杭基礎構造は、摩擦杭を用いた構造および支持杭を用いた構造に大別される。ここで、防潮堤等の堤体は重量が大きいため、防潮堤等の堤体を支持する杭基礎構造には、杭先端の支持力を設計時に考慮することができる支持杭を用いた杭基礎構造が多く採用されている。
【０００３】
支持杭を用いた杭基礎構造では、鋼管杭等の杭を良質な支持層に達するまで地中に打ち込み、さらには支持層中への所要の根入れ深さを確保できる深さまで杭を根入れさせて、所要の支持力（押し込み耐力、引き抜き耐力）を確保している。支持層中への杭の根入れ深さは、杭径程度以上確保することが一般的になされている。
【０００４】
ここで、押し込み耐力は、「杭と地盤の周面摩擦力」と「杭先端の支持力」によって確保することができるが、引き抜き耐力は、「杭と地盤の周面摩擦力」のみによって確保することが必要である。
【０００５】
このため、良質な支持層の深さ位置が極端に浅い場合（例えば、地表面から３〜４ｍ程度）には、所要の支持力、特に引き抜き耐力を確保するために、良質な支持層への必要な杭の根入れ深さが極端に大きくなってしまうことがあり、支持層中への必要な杭の根入れ深さが杭径の何倍にも達してしまうことがある。
【０００６】
一方、良質な支持層は基本的に地盤が固くなっているため、杭径の何倍も根入れするためには杭の打設方法にかなり特殊な工法を採用することが必要となり、施工費および施工日数が増大してしまうことが問題となる場合がある。
【０００７】
このため、支持層が極端に浅い場合には、基礎形式を杭基礎ではなく、直接基礎とすることがある。直接基礎の場合の基礎構造は、構造物本体を良質な支持層にて直接的に支持する基礎構造となる。
【０００８】
防潮堤において直接基礎を採用する場合、良質な支持層まで床掘りし、良質な支持層上に基礎コンクリートを現場にて打設し、その基礎コンクリート上にＬ型断面の本体コンクリートを現場にて打設して、防潮堤を構築することがある。
【０００９】
しかしながら、この構造は、特に基礎コンクリートにおいて大量の生コンクリートが必要となるため、現地にて大量の生コンクリートを確保する必要がある。このため、現地において十分な生コンクリートが確保できない場合には、短工期で施工を行うことが困難になるという問題がある。
【００１０】
現地において必要とする生コンクリートの量を減少させることが可能な堤体としては、例えば特許文献１で開示されている、プレキャストフーチングおよびプレキャスト壁体を活用した堤体がある。
【００１１】
しかしながら、特許文献１で開示されている堤体は、杭基礎を前提としたものであり、直接基礎に対応したものではない。
【００１２】
また、防潮堤において直接基礎を採用する場合で基礎コンクリートを用いない方法としては、地表面から良質な支持層までの間を地盤改良する方法もあるが、施工方法、地盤改良の範囲、施工規模によっては不経済となるという問題がある。
【先行技術文献】
【特許文献】
【００１３】
【特許文献１】特許第５０２４４８９号公報
【発明の概要】
【発明が解決しようとする課題】
【００１４】
本発明は、かかる問題点に鑑みてなされたものであって、現場での生コンクリートの使用量を大幅に削減することができ、かつ、地盤改良を原則として行う必要がない、直接基礎形式の基礎構造を備えた堤体を提供することを課題とする。
【００１５】
なお、「地盤改良を原則として行う必要がない」とは、工事の主たる目的としては地盤改良を行う必要がないという意味であり、主たる工事に付随的に生じる地盤改良まで排除する意味ではない。
【課題を解決するための手段】
【００１６】
本発明は、以下の堤体により、前記課題を解決したものである。
【００１７】
即ち、本発明に係る堤体の第１の態様は、支持地盤上に設置された直接基礎形式の基礎構造と、該基礎構造の上部に構築された上部構造とを備えてなる堤体であって、前記基礎構造は、上下方向に貫通する基礎貫通孔を有し、該基礎貫通孔の内面に基礎さや管を有する複数の基礎ブロックと、複数の前記基礎ブロックを上下方向に連結する基礎連結用鋼材と、を備え、前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、さらに、前記基礎ブロックの前記基礎さや管と該基礎さや管に差し込まれた前記基礎連結用鋼材とは一体化されており、また、前記基礎連結用鋼材の上端部は最上段の前記基礎ブロックの上面よりも上方に突出しており、前記上部構造は、前記基礎構造に支持されたプレキャストフーチングと、該プレキャストフーチングの上方に配置され、面内方向に貫通する壁体貫通孔を有し、該壁体貫通孔の内面に壁体さや管を有するプレキャスト壁体と、を備え、前記プレキャストフーチングは厚さ方向に貫通するフーチング貫通孔を有し、該フーチング貫通孔の内面には突出さや管が備えられ、該突出さや管は前記プレキャストフーチングの上面よりも上方の位置まで延伸し、該突出さや管には前記基礎構造の前記基礎連結用鋼材の前記上端部が差し込まれ、前記突出さや管は前記プレキャスト壁体の前記壁体さや管に差し込まれ、前記突出さや管と該突出さや管に差し込まれた前記基礎連結用鋼材とは一体化されていることを特徴とする堤体である。
【００１８】
ここで、「直接基礎形式の基礎構造」とは、杭を用いずに支持地盤上に直接設置された基礎構造のことである。
【００１９】
本発明に係る堤体の第２の態様は、支持地盤上に設置された直接基礎形式の基礎構造と、該基礎構造の上部に構築された上部構造とを備えてなる堤体であって、前記基礎構造は複数の基礎ブロック構造を備え、該基礎ブロック構造は、上下方向に貫通する基礎貫通孔を有し、該基礎貫通孔の内面に基礎さや管を有する複数の基礎ブロックと、該複数の基礎ブロックを上下方向に連結する基礎連結用鋼材と、を有し、前記基礎ブロック構造において、前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、また、前記基礎ブロック構造において、前記基礎ブロックの前記基礎さや管と該基礎さや管に差し込まれた前記基礎連結用鋼材とは一体化されており、また、前記基礎連結用鋼材の上端部は最上段の前記基礎ブロックの上面よりも上方に突出しており、さらに、前記基礎ブロック構造同士はお互いに対向するように、かつ、最下段の前記基礎ブロックの前記張り出した部位同士がお互いに近接して対向するように配置されており、お互いに近接して対向する前記張り出した部位同士の上方には中詰め材が充填されており、前記上部構造は、前記基礎構造に支持されたプレキャストフーチングと、該プレキャストフーチングの上方に配置され、面内方向に貫通する壁体貫通孔を有し、該壁体貫通孔の内面に壁体さや管を有するプレキャスト壁体と、を備え、前記プレキャストフーチングは厚さ方向に貫通するフーチング貫通孔を有し、該フーチング貫通孔の内面には前記プレキャストフーチングの上面よりも上方の位置まで延伸している突出さや管が備えられ、また、前記プレキャストフーチングは少なくとも下方に開口した下方開口孔を、前記フーチング貫通孔に対して前記プレキャスト壁体の法線方向と略直交する方向に間隔を開けて有し、該下方開口孔の内面には前記プレキャストフーチングの上面および下面の間に収まるフーチング内さや管が備えられ、前記プレキャスト壁体の前記壁体さや管には前記突出さや管が差し込まれ、該突出さや管には、前記基礎構造の前記基礎連結用鋼材の前記上端部が差し込まれ、また、前記フーチング内さや管には、前記基礎構造の他の前記基礎連結用鋼材の前記上端部が差し込まれ、前記突出さや管と該突出さや管に差し込まれた前記基礎連結用鋼材とは一体化され、かつ、前記フーチング内さや管と該フーチング内さや管に差し込まれた前記基礎連結用鋼材とは一体化されていることを特徴とする堤体である。
【００２０】
本発明に係る堤体の第３の態様は、支持地盤上に設置された直接基礎形式の基礎構造と、該基礎構造の上部に構築された上部構造とを備えてなる堤体であって、前記基礎構造は、上下方向に貫通する基礎貫通孔を有し、該基礎貫通孔の内面に基礎さや管を有する複数の基礎ブロックと、複数の前記基礎ブロックを上下方向に連結する基礎連結用鋼材と、を備え、前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、さらに、前記基礎ブロックの前記基礎さや管と該基礎さや管に差し込まれた前記基礎連結用鋼材とは一体化されており、また、前記基礎連結用鋼材の上端部は最上段の前記基礎ブロックの上面よりも上方に突出しており、前記上部構造は、前記基礎構造に支持されたプレキャストフーチングと、該プレキャストフーチングの上方に配置され、面内方向に貫通する壁体貫通孔を有し、該壁体貫通孔の内面に壁体さや管を有するプレキャスト壁体と、前記プレキャスト壁体および前記プレキャストフーチングを連結する壁体連結用鋼材と、を備え、前記プレキャストフーチングは少なくとも上方に開口した上方開口孔を有し、該上方開口孔の内面には前記プレキャストフーチングの上面よりも上方の位置まで延伸している突出さや管が備えられ、また、前記プレキャストフーチングは少なくとも下方に開口した下方開口孔を、前記上方開口孔に対して前記プレキャスト壁体の法線方向と略直交する方向に間隔を開けて有し、該下方開口孔の内面には前記プレキャストフーチングの上面および下面の間に収まるフーチング内さや管が備えられ、前記プレキャスト壁体の前記壁体さや管には前記突出さや管が差し込まれ、該突出さや管には前記壁体連結用鋼材が差し込まれ、前記プレキャストフーチングの前記フーチング内さや管には前記基礎構造の前記基礎連結用鋼材の前記上端部が差し込まれ、前記突出さや管と該突出さや管に差し込まれた前記壁体連結用鋼材とは一体化され、かつ、前記フーチング内さや管と該フーチング内さや管に差し込まれた前記基礎連結用鋼材とは一体化されており、さらに、前記突出さや管と前記フーチング内さや管との間を連結する法直連結鋼材が前記プレキャストフーチング内に備えられていることを特徴とする堤体である。
【００２１】
本発明に係る堤体の第４の態様は、支持地盤上に設置された直接基礎形式の基礎構造と、該基礎構造の上部に構築された上部構造とを備えてなる堤体であって、前記基礎構造は複数の基礎ブロック構造を備え、該基礎ブロック構造は、上下方向に貫通する基礎貫通孔を有し、該基礎貫通孔の内面に基礎さや管を有する複数の基礎ブロックと、該複数の基礎ブロックを上下方向に連結する基礎連結用鋼材と、を有し、前記基礎ブロック構造において、前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、また、前記基礎ブロック構造において、前記基礎ブロックの前記基礎さや管と該基礎さや管に差し込まれた前記基礎連結用鋼材とは一体化されており、また、前記基礎連結用鋼材の上端部は最上段の前記基礎ブロックの上面よりも上方に突出しており、さらに、前記基礎ブロック構造同士はお互いに対向するように、かつ、最下段の前記基礎ブロックの前記張り出した部位同士がお互いに近接して対向するように配置されており、お互いに近接して対向する前記張り出した部位同士の上方には中詰め材が充填されており、前記上部構造は、前記基礎構造に支持されたプレキャストフーチングと、該プレキャストフーチングの上方に配置され、面内方向に貫通する壁体貫通孔を有し、該壁体貫通孔の内面に壁体さや管を有するプレキャスト壁体と、前記プレキャスト壁体および前記プレキャストフーチングを連結する壁体連結用鋼材と、を備え、前記プレキャストフーチングは少なくとも上方に開口した上方開口孔を有し、該上方開口孔の内面には前記プレキャストフーチングの上面よりも上方の位置まで延伸している突出さや管が備えられ、また、前記プレキャストフーチングは少なくとも下方に開口した下方開口孔を、前記上方開口孔に対して前記プレキャスト壁体の法線方向と略直交する方向に間隔を開けて複数有し、かつ、前記上方開口孔は複数の前記下方開口孔の間に位置しており、前記複数の下方開口孔の内面には前記プレキャストフーチングの上面および下面の間に収まるフーチング内さや管がそれぞれ備えられ、前記プレキャスト壁体の前記壁体さや管には前記突出さや管が差し込まれ、該突出さや管には前記壁体連結用鋼材が差し込まれ、前記プレキャストフーチングの前記複数のフーチング内さや管には前記基礎構造の前記基礎連結用鋼材の前記上端部がそれぞれ差し込まれ、前記突出さや管と該突出さや管に差し込まれた前記壁体連結用鋼材とは一体化され、かつ、前記フーチング内さや管と該フーチング内さや管に差し込まれた前記基礎連結用鋼材とは一体化されており、さらに、前記突出さや管と前記フーチング内さや管との間を連結する法直連結鋼材が前記プレキャストフーチング内に備えられていることを特徴とする堤体である。
【００２２】
本発明に係る堤体の第５の態様は、支持地盤上に設置された直接基礎形式の基礎構造と、該基礎構造の上部に構築された上部構造とを備えてなる堤体であって、前記基礎構造は複数の基礎ブロック構造を備え、該基礎ブロック構造は、上下方向に貫通する基礎貫通孔を有し、該基礎貫通孔の内面に基礎さや管を有する複数の基礎ブロックと、該複数の基礎ブロックを上下方向に連結する基礎連結用鋼材と、を有し、前記基礎ブロック構造において、前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、また、前記基礎ブロック構造において、前記基礎ブロックの前記基礎さや管と該基礎さや管に差し込まれた前記基礎連結用鋼材とは一体化されており、また、前記基礎連結用鋼材の上端部は最上段の前記基礎ブロックの上面よりも上方に突出しており、さらに、前記基礎ブロック構造同士はお互いに対向するように、かつ、最下段の前記基礎ブロックの前記張り出した部位同士がお互いに近接して対向するように配置されており、お互いに近接して対向する前記張り出した部位同士の上方には中詰め材が充填されており、前記上部構造は、前記基礎構造に支持されたプレキャストフーチングと、該プレキャストフーチングの上方に配置され、面内方向に貫通する壁体貫通孔を有し、該壁体貫通孔の内面に壁体さや管を有するプレキャスト壁体と、前記プレキャスト壁体および前記プレキャストフーチングを連結する壁体連結用鋼材と、を備え、前記プレキャストフーチングは少なくとも上方に開口した上方開口孔を有し、該上方開口孔の内面には前記プレキャストフーチングの上面よりも上方の位置まで延伸している突出さや管が備えられ、また、前記プレキャストフーチングは少なくとも下方に開口した下方開口孔を、前記上方開口孔に対して前記プレキャスト壁体の法線方向と略直交する方向に間隔を開けて複数有し、かつ、前記上方開口孔は複数の前記下方開口孔の間に位置しておらず、前記複数の下方開口孔の内面には前記プレキャストフーチングの上面および下面の間に収まるフーチング内さや管がそれぞれ備えられ、前記プレキャスト壁体の前記壁体さや管には前記突出さや管が差し込まれ、該突出さや管には前記壁体連結用鋼材が差し込まれ、前記プレキャストフーチングの前記複数のフーチング内さや管には前記基礎構造の前記基礎連結用鋼材の前記上端部がそれぞれ差し込まれ、前記突出さや管と該突出さや管に差し込まれた前記壁体連結用鋼材とは一体化され、かつ、前記フーチング内さや管と該フーチング内さや管に差し込まれた前記基礎連結用鋼材とは一体化されており、さらに、前記突出さや管と前記フーチング内さや管との間を連結する法直連結鋼材、および前記プレキャスト壁体の法線方向と略直交する方向に隣り合うフーチング内さや管同士の間を連結する法直連結鋼材が前記プレキャストフーチング内に備えられていることを特徴とする堤体である。
【００２３】
本発明に係る堤体の第２、第４、第５の態様において、前記上部構造の法線方向を、前記基礎ブロックが上下方向に複数積み重ねられて形成された前記基礎ブロック構造の壁面と略平行な水平方向となるようにしてもよい。
【００２４】
ここで、「前記上部構造の法線方向」とは、前記上部構造が延びる方向のことであり、海岸線にほぼ沿う方向となることが多い。
【００２５】
また、本発明に係る堤体の第２、第４、第５の態様において、前記上部構造の法線方向を、前記基礎ブロックが上下方向に複数積み重ねられて形成された前記基礎ブロック構造の壁面と略直交する方向となるようにしてもよい。
【００２６】
また、本発明に係る堤体の第２、第４、第５の態様において、前記中詰め材を、例えば土および砂のうちの少なくともいずれか一方としてもよい。
【００２７】
また、本発明に係る堤体の第１〜第５の態様において、前記プレキャスト壁体を、面内方向に延びて下方のみ開口した壁体孔を有し、該壁体孔の内面に壁体さや管を有するプレキャスト壁体に置き換えてもよい。
【００２８】
本発明に係る堤体の第６の態様は、支持地盤上に設置された直接基礎形式の基礎構造と、該基礎構造の上部に構築された上部構造とを備えてなる堤体であって、前記基礎構造は、上下方向に貫通する基礎貫通孔を有し、該基礎貫通孔の内面に基礎さや管を有する複数の基礎ブロックと、複数の前記基礎ブロックを上下方向に連結する基礎連結用鋼材と、を備え、前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、さらに、前記基礎ブロックの前記基礎さや管と該基礎さや管に差し込まれた前記基礎連結用鋼材とは一体化されており、また、前記基礎連結用鋼材の上端部は最上段の前記基礎ブロックの上面よりも上方に突出しており、前記上部構造は、前記基礎構造に支持されたプレキャストフーチングと、該プレキャストフーチングの上方に配置され、面内方向に貫通する壁体貫通孔を有し、該壁体貫通孔の内面には壁体さや管を有する複数のプレキャスト壁体と、を備え、前記プレキャストフーチングは厚さ方向に貫通するフーチング貫通孔を有し、該フーチング貫通孔の内面には突出さや管が備えられ、該突出さや管は前記プレキャストフーチングの上面よりも上方の位置まで延伸し、該突出さや管には前記基礎構造の前記基礎連結用鋼材の前記上端部が差し込まれ、前記プレキャスト壁体は、前記壁体貫通孔同士が連結するように上下方向に複数積み重ねられ、上下方向に複数積み重ねられた前記プレキャスト壁体のうち少なくとも最下段の前記プレキャスト壁体の前記壁体さや管には前記突出さや管が差し込まれるとともに、該突出さや管に差し込まれた前記基礎連結用鋼材の前記上端部は上下方向に複数積み重ねられた前記プレキャスト壁体の前記壁体さや管に差し込まれて最上段の前記プレキャスト壁体の天端付近に達しており、前記突出さや管と該突出さや管に差し込まれた前記基礎連結用鋼材とは一体化されていることを特徴とする堤体である。
【００２９】
本発明に係る堤体の第７の態様は、支持地盤上に設置された直接基礎形式の基礎構造と、該基礎構造の上部に構築された上部構造とを備えてなる堤体であって、前記基礎構造は複数の基礎ブロック構造を備え、該基礎ブロック構造は、上下方向に貫通する基礎貫通孔を有し、該基礎貫通孔の内面に基礎さや管を有する複数の基礎ブロックと、該複数の基礎ブロックを上下方向に連結する基礎連結用鋼材と、を有し、前記基礎ブロック構造において、前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、また、前記基礎ブロック構造において、前記基礎ブロックの前記基礎さや管と該基礎さや管に差し込まれた前記基礎連結用鋼材とは一体化されており、また、前記基礎連結用鋼材の上端部は最上段の前記基礎ブロックの上面よりも上方に突出しており、さらに、前記基礎ブロック構造同士はお互いに対向するように、かつ、最下段の前記基礎ブロックの前記張り出した部位同士がお互いに近接して対向するように配置されており、お互いに近接して対向する前記張り出した部位同士の上方には中詰め材が充填されており、前記上部構造は、前記基礎構造に支持されたプレキャストフーチングと、該プレキャストフーチングの上方に配置され、面内方向に貫通する壁体貫通孔を有し、該壁体貫通孔の内面には壁体さや管を有する複数のプレキャスト壁体と、を備え、前記プレキャストフーチングは厚さ方向に貫通するフーチング貫通孔を有し、該フーチング貫通孔の内面には前記プレキャストフーチングの上面よりも上方の位置まで延伸している突出さや管が備えられ、また、前記プレキャストフーチングは少なくとも下方に開口した下方開口孔を、前記フーチング貫通孔に対して前記プレキャスト壁体の法線方向と略直交する方向に間隔を開けて有し、該下方開口孔の内面には前記フーチングの上面および下面の間に収まるフーチング内さや管が備えられ、前記突出さや管には、前記基礎構造の前記基礎連結用鋼材の前記上端部が差し込まれ、前記フーチング内さや管には、前記基礎構造の他の前記基礎連結用鋼材の前記上端部が差し込まれ、前記プレキャスト壁体は、前記壁体貫通孔同士が連結するように上下方向に複数積み重ねられ、上下方向に複数積み重ねられた前記プレキャスト壁体のうち少なくとも最下段の前記プレキャスト壁体の前記壁体さや管には前記突出さや管が差し込まれるとともに、該突出さや管に差し込まれた前記基礎連結用鋼材の前記上端部は上下方向に複数積み重ねられた前記プレキャスト壁体の前記壁体さや管に差し込まれて最上段の前記プレキャスト壁体の天端付近に達しており、前記突出さや管と該突出さや管に差し込まれた前記基礎連結用鋼材とは一体化され、かつ、前記フーチング内さや管と該フーチング内さや管に差し込まれた前記基礎連結用鋼材とは一体化されていることを特徴とする堤体である。
【００３０】
本発明に係る堤体の第８の態様は、支持地盤上に設置された直接基礎形式の基礎構造と、該基礎構造の上部に構築された上部構造とを備えてなる堤体であって、前記基礎構造は、上下方向に貫通する基礎貫通孔を有し、該基礎貫通孔の内面に基礎さや管を有する複数の基礎ブロックと、複数の前記基礎ブロックを上下方向に連結する基礎連結用鋼材と、を備え、前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、さらに、前記基礎ブロックの前記基礎さや管と該基礎さや管に差し込まれた前記基礎連結用鋼材とは一体化されており、また、前記基礎連結用鋼材の上端部は最上段の前記基礎ブロックの上面よりも上方に突出しており、前記上部構造は、前記基礎構造に支持されたプレキャストフーチングと、該プレキャストフーチングの上方に配置され、面内方向に貫通する壁体貫通孔を有し、該壁体貫通孔の内面に壁体さや管を有する複数のプレキャスト壁体と、前記プレキャスト壁体および前記プレキャストフーチングを連結する壁体連結用鋼材と、を備え、前記プレキャストフーチングは少なくとも上方に開口した上方開口孔を有し、該上方開口孔の内面には前記プレキャストフーチングの上面よりも上方の位置まで延伸している突出さや管が備えられ、該突出さや管には前記壁体連結用鋼材が差し込まれ、また、前記プレキャストフーチングは少なくとも下方に開口した下方開口孔を、前記上方開口孔に対して前記プレキャスト壁体の法線方向と略直交する方向に間隔を開けて有し、該下方開口孔の内面には前記プレキャストフーチングの上面および下面の間に収まるフーチング内さや管が備えられ、該フーチング内さや管には前記基礎構造の前記基礎連結用鋼材の前記上端部が差し込まれ、前記プレキャスト壁体は、前記壁体貫通孔同士が連結するように上下方向に複数積み重ねられ、上下方向に複数積み重ねられた前記プレキャスト壁体のうち少なくとも最下段の前記プレキャスト壁体の前記壁体さや管には前記突出さや管が差し込まれるとともに、該突出さや管に差し込まれた前記壁体連結用鋼材は上下方向に複数積み重ねられた前記プレキャスト壁体の前記壁体さや管に差し込まれて最上段の前記プレキャスト壁体の天端付近に達しており、前記突出さや管と該突出さや管に差し込まれた前記壁体連結用鋼材とは一体化され、かつ、前記フーチング内さや管と該フーチング内さや管に差し込まれた前記基礎連結用鋼材とは一体化されており、さらに、前記突出さや管と前記フーチング内さや管との間を連結する法直連結鋼材が前記プレキャストフーチング内に備えられていることを特徴とする堤体である。
【００３１】
本発明に係る堤体の第９の態様は、支持地盤上に設置された直接基礎形式の基礎構造と、該基礎構造の上部に構築された上部構造とを備えてなる堤体であって、前記基礎構造は複数の基礎ブロック構造を備え、該基礎ブロック構造は、上下方向に貫通する基礎貫通孔を有し、該基礎貫通孔の内面に基礎さや管を有する複数の基礎ブロックと、該複数の基礎ブロックを上下方向に連結する基礎連結用鋼材と、を有し、前記基礎ブロック構造において、前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、また、前記基礎ブロック構造において、前記基礎ブロックの前記基礎さや管と該基礎さや管に差し込まれた前記基礎連結用鋼材とは一体化されており、また、前記基礎連結用鋼材の上端部は最上段の前記基礎ブロックの上面よりも上方に突出しており、さらに、前記基礎ブロック構造同士はお互いに対向するように、かつ、最下段の前記基礎ブロックの前記張り出した部位同士がお互いに近接して対向するように配置されており、お互いに近接して対向する前記張り出した部位同士の上方には中詰め材が充填されており、前記上部構造は、前記基礎構造に支持されたプレキャストフーチングと、該プレキャストフーチングの上方に配置され、面内方向に貫通する壁体貫通孔を有し、該壁体貫通孔の内面に壁体さや管を有する複数のプレキャスト壁体と、前記プレキャスト壁体および前記プレキャストフーチングを連結する壁体連結用鋼材と、を備え、前記プレキャストフーチングは少なくとも上方に開口した上方開口孔を有し、該上方開口孔の内面には前記プレキャストフーチングの上面よりも上方の位置まで延伸している突出さや管が備えられ、該突出さや管には前記壁体連結用鋼材が差し込まれ、また、前記プレキャストフーチングは少なくとも下方に開口した下方開口孔を、前記上方開口孔に対して前記プレキャスト壁体の法線方向と略直交する方向に間隔を開けて複数有し、かつ、前記上方開口孔は複数の前記下方開口孔の間に位置しており、前記複数の下方開口孔の内面には前記プレキャストフーチングの上面および下面の間に収まるフーチング内さや管がそれぞれ備えられ、前記複数のフーチング内さや管には前記基礎構造の前記基礎連結用鋼材の前記上端部がそれぞれ差し込まれ、前記プレキャスト壁体は、前記壁体貫通孔同士が連結するように上下方向に複数積み重ねられ、上下方向に複数積み重ねられた前記プレキャスト壁体のうち少なくとも最下段の前記プレキャスト壁体の前記壁体さや管には前記突出さや管が差し込まれるとともに、該突出さや管に差し込まれた前記壁体連結用鋼材は上下方向に複数積み重ねられた前記プレキャスト壁体の前記壁体さや管に差し込まれて最上段の前記プレキャスト壁体の天端付近に達しており、前記突出さや管と該突出さや管に差し込まれた前記壁体連結用鋼材とは一体化され、かつ、前記フーチング内さや管と該フーチング内さや管に差し込まれた前記基礎連結用鋼材とは一体化されており、さらに、前記突出さや管と前記フーチング内さや管との間を連結する法直連結鋼材が前記プレキャストフーチング内に備えられていることを特徴とする堤体である。
【００３２】
本発明に係る堤体の第１０の態様は、支持地盤上に設置された直接基礎形式の基礎構造と、該基礎構造の上部に構築された上部構造とを備えてなる堤体であって、前記基礎構造は複数の基礎ブロック構造を備え、該基礎ブロック構造は、上下方向に貫通する基礎貫通孔を有し、該基礎貫通孔の内面に基礎さや管を有する複数の基礎ブロックと、該複数の基礎ブロックを上下方向に連結する基礎連結用鋼材と、を有し、前記基礎ブロック構造において、前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、また、前記基礎ブロック構造において、前記基礎ブロックの前記基礎さや管と該基礎さや管に差し込まれた前記基礎連結用鋼材とは一体化されており、また、前記基礎連結用鋼材の上端部は最上段の前記基礎ブロックの上面よりも上方に突出しており、さらに、前記基礎ブロック構造同士はお互いに対向するように、かつ、最下段の前記基礎ブロックの前記張り出した部位同士がお互いに近接して対向するように配置されており、お互いに近接して対向する前記張り出した部位同士の上方には中詰め材が充填されており、前記上部構造は、前記基礎構造に支持されたプレキャストフーチングと、該プレキャストフーチングの上方に配置され、面内方向に貫通する壁体貫通孔を有し、該壁体貫通孔の内面に壁体さや管を有する複数のプレキャスト壁体と、前記プレキャスト壁体および前記プレキャストフーチングを連結する壁体連結用鋼材と、を備え、前記プレキャストフーチングは少なくとも上方に開口した上方開口孔を有し、該上方開口孔の内面には前記プレキャストフーチングの上面よりも上方の位置まで延伸している突出さや管が備えられ、該突出さや管には前記壁体連結用鋼材が差し込まれ、また、前記プレキャストフーチングは少なくとも下方に開口した下方開口孔を、前記上方開口孔に対して前記プレキャスト壁体の法線方向と略直交する方向に間隔を開けて複数有し、かつ、前記上方開口孔は複数の前記下方開口孔の間に位置しておらず、前記複数の下方開口孔の内面には前記プレキャストフーチングの上面および下面の間に収まるフーチング内さや管がそれぞれ備えられ、前記複数のフーチング内さや管には前記基礎構造の前記基礎連結用鋼材の前記上端部がそれぞれ差し込まれ、前記プレキャスト壁体は、前記壁体貫通孔同士が連結するように上下方向に複数積み重ねられ、上下方向に複数積み重ねられた前記プレキャスト壁体のうち少なくとも最下段の前記プレキャスト壁体の前記壁体さや管には前記突出さや管が差し込まれるとともに、該突出さや管に差し込まれた前記壁体連結用鋼材は上下方向に複数積み重ねられた前記プレキャスト壁体の前記壁体さや管に差し込まれて最上段の前記プレキャスト壁体の天端付近に達しており、前記突出さや管と該突出さや管に差し込まれた前記壁体連結用鋼材とは一体化され、かつ、前記フーチング内さや管と該フーチング内さや管に差し込まれた前記基礎連結用鋼材とは一体化されており、さらに、前記突出さや管と前記フーチング内さや管との間を連結する法直連結鋼材、および前記プレキャスト壁体の法線方向と略直交する方向に隣り合うフーチング内さや管同士の間を連結する法直連結鋼材が前記プレキャストフーチング内に備えられていることを特徴とする堤体である。
【００３３】
本発明に係る堤体の第７、第９、第１０の態様において、前記上部構造の法線方向を、前記基礎ブロックが上下方向に複数積み重ねられて形成された前記基礎ブロック構造の壁面と略平行な水平方向となるようにしてもよい。
【００３４】
また、本発明に係る堤体の第７、第９、第１０の態様において、前記上部構造の法線方向を、前記基礎ブロックが上下方向に複数積み重ねられて形成された前記基礎ブロック構造の壁面と略直交する方向となるようにしてもよい。
【００３５】
また、本発明に係る堤体の第７、第９、第１０の態様において、前記中詰め材を、例えば土および砂のうちの少なくともいずれか一方としてもよい。
【００３６】
また、本発明に係る堤体の第６〜第１０の態様において、上下方向に複数積み重ねられた前記プレキャスト壁体のうちの最上段のプレキャスト壁体を、面内方向に延びて下方のみ開口した壁体孔を有し、該壁体孔の内面に壁体さや管を有するプレキャスト壁体に置き換えてもよい。
【００３７】
本発明に係る堤体の第１、第２、第６、第７の態様において、前記突出さや管と該突出さや管に差し込まれた前記基礎構造の前記基礎連結用鋼材との間隙にはグラウト材が充填されていることが好ましい。
【００３８】
また、本発明に係る堤体の第２〜第５、第７〜第１０の態様において、前記フーチング内さや管と該フーチング内さや管に差し込まれた前記基礎構造の前記基礎連結用鋼材との間隙にはグラウト材が充填されていることが好ましい。
【００３９】
また、本発明に係る堤体の第３〜第５、第８〜第１０の態様において、前記突出さや管と該突出さや管に差し込まれた前記壁体連結用鋼材との間隙にはグラウト材が充填されていることが好ましい。
【００４０】
前記壁体連結用鋼材には例えば鋼管を用いてもよく、また例えばＨ形鋼やＩ形鋼等の形鋼を用いてもよい。
【００４１】
前記壁体連結用鋼材は鋼板からビルドアップして製作してもよい。
【００４２】
前記基礎連結用鋼材には例えば鋼管を用いてもよく、また例えばＨ形鋼やＩ形鋼等の形鋼を用いてもよい。
【００４３】
前記基礎連結用鋼材は鋼板からビルドアップして製作してもよい。
【００４４】
本発明に係る堤体の第１〜第１０の態様において、前記基礎さや管と該基礎さや管に差し込まれた前記基礎連結用鋼材との間隙にはグラウト材が充填されていることが好ましい。
【００４５】
本発明に係る堤体の第１〜第１０の態様において、上下方向に複数積み重ねられた前記基礎ブロックのうちの最下段の基礎ブロックを、上方のみ開口した非貫通孔を有し、該非貫通孔の内面に基礎さや管を有し、かつ、水平方向に張り出した部位を有する基礎ブロックに置き換えてもよい。
【発明の効果】
【００４６】
本発明によれば、原則として地盤改良を行わなくても、現場での生コンクリートの使用量を大幅に削減することができる。また、施工期間の短縮化も図ることができる。また、基礎構造と上部構造とを合わせた堤体全体の構造を合理的な構造とすることもできる。
【図面の簡単な説明】
【００４７】
【図１】本発明の実施形態に係る堤体における基礎構造の第１態様を示す側面図
【図２】図１のＩＩ−ＩＩ線断面図
【図３】本発明の実施形態に係る堤体における基礎構造の第１態様で用いる基礎フーチングブロック１２の断面図
【図４】前記基礎フーチングブロック１２を上方から見た平面図
【図５】前記基礎フーチングブロック１２の断面図
【図６】前記基礎フーチングブロック１２の断面図
【図７】本発明の実施形態に係る堤体における基礎構造の第１態様で用いる基礎壁体ブロック１４の断面図
【図８】前記基礎壁体ブロック１４を上方から見た平面図
【図９】本発明の実施形態に係る堤体における基礎構造の第２態様を示す側面図
【図１０】本発明の実施形態に係る堤体における基礎構造の第２態様で用いる基礎フーチングブロック２２の断面図
【図１１】前記基礎フーチングブロック２２を上方から見た平面図
【図１２】本発明の実施形態に係る堤体における基礎構造の第３態様を示す側面図
【図１３】図１２のＸＩＩＩ−ＸＩＩＩ線断面図
【図１４】本発明の実施形態に係る堤体における基礎構造の第３態様で用いる基礎フーチングブロック３２の断面図
【図１５】前記基礎フーチングブロック３２を上方から見た平面図
【図１６】本発明の実施形態に係る堤体における上部構造の第１態様を示す側面図（本発明の第１実施形態に係る堤体９０を該堤体９０の法線方向から見た側面図）
【図１７】図１６のＸＶＩＩ−ＸＶＩＩ線断面図
【図１８】本発明の実施形態に係る堤体における上部構造の第１態様で用いるプレキャストフーチング４２の端面図
【図１９】本発明の実施形態に係る堤体における上部構造の第１態様で用いるプレキャスト壁体４４の正面図
【図２０】図１９のＸＸ−ＸＸ線断面図
【図２１】本発明の実施形態に係る堤体における上部構造の第１態様で用いる最上段プレキャスト壁体４６の正面図
【図２２】図２１のＸＸＩＩ−ＸＸＩＩ線断面図
【図２３】本発明の実施形態に係る堤体における上部構造の第１態様で用いるプレキャスト壁体４４の縦端面図の一部拡大図
【図２４】前記プレキャスト壁体４４の縦端面図の一部拡大図
【図２５】本発明の実施形態に係る堤体における上部構造の第１態様の接合部４４Ｃを水平面で切断した断面において突出さや管４２Ａの部位付近を拡大した拡大断面図
【図２６】本発明の第１実施形態に係る堤体９０の変形例（堤体９２）を該堤体９２の法線方向から見た側面図
【図２７】本発明の実施形態に係る堤体における上部構造の第１態様（上部構造４０）の上端部の拡大縦断面図
【図２８】本発明の実施形態に係る堤体における上部構造の第２態様を示す側面図（本発明の第２実施形態に係る堤体９４を該堤体９４の法線方向から見た側面図）
【図２９】図２８のＸＸＩＸ−ＸＸＩＸ線断面図
【図３０】本発明の実施形態に係る堤体における上部構造の第２態様で用いるプレキャストフーチング６２の端面図
【図３１】本発明の実施形態に係る堤体における上部構造の第３態様を示す側面図（本発明の第３実施形態に係る堤体９６を該堤体９６の法線方向から見た側面図）
【図３２】本発明の実施形態に係る堤体における上部構造の第３態様で用いるプレキャストフーチング７２の端面図
【図３３】本発明の第４実施形態に係る堤体９８をその法線方向から見た側面図
【図３４】本発明の第５実施形態に係る堤体１００をその法線方向から見た側面図
【図３５】本発明の第６実施形態に係る堤体１０２をその法線方向から見た側面図
【図３６】図３５のＸＸＸＶＩ−ＸＸＸＶＩ線断面図
【発明を実施するための形態】
【００４８】
以下、図面を参照して、本発明の実施形態を詳細に説明するが、本発明の実施形態に係る堤体は、大きく分けて基礎構造と上部構造の２つの構造に分けられるので、基礎構造と上部構造とに分けて説明する。
【００４９】
１．基礎構造
（基礎構造の第１態様）
図１は本発明の実施形態に係る堤体における基礎構造の第１態様を示す側面図（第１態様の基礎構造を構成する基礎壁体ブロック１４の長手方向から見た側面図）である。図２は図１のＩＩ−ＩＩ線断面図である。
【００５０】
本第１態様の基礎構造１０は、対向するＬ字型の基礎ブロック構造１１の間に中詰め土１８が充填されてなり、支持地盤１上に設けられている。
【００５１】
基礎ブロック構造１１は、基礎フーチングブロック１２と、基礎壁体ブロック１４と、基礎連結用鋼管１６と、を備えており、プレキャスト部材である基礎ブロック（基礎フーチングブロック１２と基礎壁体ブロック１４）が基礎ブロック構造１１の主要な構成部材となっている。基礎ブロック構造１１においては、基礎フーチングブロック１２の上に基礎壁体ブロック１４が３段積み重ねられており、図１に示すように、基礎構造１０を側方（基礎壁体ブロック１４の長手方向）から見ると２つのＬ字型の基礎ブロック構造１１が対向するように（基礎フーチングブロック１２の水平方向に張り出した部位１２Ｃ同士がお互いに近接して対向するように）配置された形状になっている。また、本第１態様の基礎構造１０は、基礎壁体ブロック１４の長手方向（基礎構造１０の基礎ブロック構造１１の壁面１１Ａと平行な水平方向であり、図１において紙面と直交する方向）に延びており、上部構造の壁体が延びる方向と同じ方向に延びている。
【００５２】
基礎ブロック構造１１において基礎フーチングブロック１２の上に基礎壁体ブロック１４が３段積み重ねられているが、基礎フーチングブロック１２の貫通孔および基礎壁体ブロック１４の貫通孔を基礎連結用鋼管１６が上下方向に貫くように配置されており、基礎フーチングブロック１２および基礎壁体ブロック１４は基礎連結用鋼管１６によって一体化されている。
【００５３】
なお、本第１態様の基礎構造１０の上方に堤体を設置する場合、設置する堤体の法線方向（設置する堤体の延びる方向）は、本第１態様の基礎構造１０の延びる方向（基礎構造１０の基礎壁体ブロック１４の長手方向（基礎構造１０の基礎ブロック構造１１の壁面１１Ａと平行な水平方向）であり、図１において紙面と直交する方向。）と一致することになる。
【００５４】
次に、本第１態様の基礎構造１０を構成する各部材について説明する。
【００５５】
図３は、基礎フーチングブロック１２の断面図（基礎フーチングさや管１２Ａの中心を通り、かつ、さや管連結鋼材１２Ｂと直交する鉛直面で切断した断面図）であり、図４は基礎フーチングブロック１２を上方から見た平面図である。
【００５６】
基礎フーチングブロック１２は、プレキャスト化されたコンクリート製のフーチング部材で、水平方向に張り出した部位１２Ｃ（以下、単に部位１２Ｃと記すことがある。）を有する受圧面積の広い土台であり、本第１態様の基礎構造１０において最下部に位置し、支持地盤１に構造物からの荷重を伝達して、基礎構造１０および基礎構造１０の上方に配置される構造物を安定性よく支持する役割を有する。
【００５７】
基礎フーチングブロック１２は、図３、図４に示すように、厚さが最も厚い部位の両端部に貫通孔１２Ｘを有しており、該貫通孔１２Ｘの内面には基礎フーチングさや管１２Ａを備えている。また、２つの基礎フーチングさや管１２Ａの間にはさや管連結鋼材１２Ｂが配置されていて、このさや管連結鋼材１２Ｂの両端部は２つの基礎フーチングさや管１２Ａの外面に溶接により取り付けられており、２つの基礎フーチングさや管１２Ａはさや管連結鋼材１２Ｂを介して一体化されている。
【００５８】
なお、図３では、基礎フーチングさや管１２Ａの下端位置は、基礎フーチングブロック１２の下面と同じ高さ位置となるようにし、基礎フーチングさや管１２Ａの上端位置は、基礎フーチングブロック１２の上面と同じ高さ位置となるようにしているが、図５、図６に示すように、基礎フーチングさや管１２Ａの下端位置は、基礎フーチングブロック１２の下面よりも上方に位置してもよく、また、基礎フーチングさや管１２Ａの上端位置は基礎フーチングブロック１２の上面よりも下方に位置してもよい。即ち、基礎フーチングさや管１２Ａは基礎フーチングブロック１２の貫通孔１２Ｘの内面を全面覆っていなくてもよい。基礎フーチングさや管１２Ａの腐食を防止する観点からは、基礎フーチングさや管１２Ａの下端位置は、基礎フーチングブロック１２の下面よりも上方に位置した方が好ましく、基礎フーチングさや管１２Ａの上端位置は、基礎フーチングブロック１２の上面よりも下方に位置した方が好ましい。即ち、基礎フーチングさや管１２Ａが外界に暴露しないようにある程度のかぶりを設けておくことが好ましい。
【００５９】
また、図５は、基礎フーチングブロック１２の貫通孔１２Ｘの内面に基礎フーチングさや管１２Ａの厚さの分だけ凹部を生じさせ、貫通孔１２Ｘの内面に基礎フーチングさや管１２Ａを取り付けた状態で、貫通孔１２Ｘの内面に見かけ上段差がなくなるようにした場合であり、図６は、貫通孔１２Ｘの内面に凹部を設けず、貫通孔１２Ｘの内面に基礎フーチングさや管１２Ａを取り付けた状態で、貫通孔１２Ｘの内面に基礎フーチングさや管１２Ａの厚さの分だけ見かけ上段差が生じている場合である。本明細書では、図３、図５、図６の全ての場合、即ち、貫通孔１２Ｘの内面全面を基礎フーチングさや管１２Ａが覆っている場合（図３の場合）、貫通孔１２Ｘの内面全面が基礎フーチングさや管１２Ａで覆われていない場合（図５、図６の場合）、貫通孔１２Ｘの内面に見かけ上段差がない場合（図３、図５の場合）、見かけ上段差がある場合（図６の場合）のいずれの場合も、貫通孔１２Ｘの内面に基礎フーチングさや管１２Ａを備えているものとする。
【００６０】
また、基礎フーチングさや管１２Ａは、基礎フーチングブロック１２のコンクリート打設時には貫通孔１２Ｘ形成のための型枠の役割を果たし、基礎フーチングさや管１２Ａの外面はコンクリート打設と同時に基礎フーチングブロック１２に埋め込まれ、（さや管連結鋼材１２Ｂの寄与を考えなければ）コンクリートとの付着力により、基礎フーチングブロック１２と一体化している。換言すれば、さや管連結鋼材１２Ｂの寄与を考えなければ、基礎フーチングさや管１２Ａはコンクリートとの付着力により貫通孔１２Ｘの内面へ取り付けられている。コンクリートとの付着力を向上させる点で、基礎フーチングさや管１２Ａの外面にはずれ止め（シアキー）を設けることが好ましい。ずれ止め（シアキー）としては、例えば丸鋼、溶接ビード、角鋼等を用いることができる。
【００６１】
また、基礎フーチングさや管１２Ａの材質は特に限定されず、所定以上の強度、弾性率、およびグラウト材との所定以上の接着力等を有する材料であればよく、例えば鉄鋼材料を好適に用いることができる。
【００６２】
なお、２つの基礎フーチングさや管１２Ａ同士をさや管連結鋼材１２Ｂによって連結しなくても安全性が確保できるのであれば、さや管連結鋼材１２Ｂは設けなくてもよい。ただし、２つの基礎フーチングさや管１２Ａ同士をさや管連結鋼材１２Ｂによって連結した方が、基礎フーチングブロック１２の断面のコンパクト化を図ることができ、基礎フーチングブロック１２の重量を軽減することができる。
【００６３】
図７は基礎壁体ブロック１４の断面図（基礎壁体さや管１４Ａの中心を通り、かつ、さや管連結鋼材１４Ｂと平行な鉛直面で切断した断面図）であり、図８は基礎壁体ブロック１４を上方から見た平面図である。
【００６４】
基礎壁体ブロック１４は、プレキャスト化されたコンクリート製の細長い直方体状の部材であり、本第１態様の基礎構造１０において基礎フーチングブロック１２の上方に配置されて、基礎構造１０の壁体（基礎ブロック構造１１の壁体）を形成し、基礎構造１０の上方に配置される構造物から伝達される荷重を直接的に支持して、その荷重を基礎フーチングブロック１２を介して支持地盤１に伝達する役割を有する。
【００６５】
基礎壁体ブロック１４は、図７、図８に示すように、両端部に貫通孔１４Ｘを有しており、該貫通孔１４Ｘの内面には基礎壁体さや管１４Ａを備えている。また、２つの基礎壁体さや管１４Ａの間にはさや管連結鋼材１４Ｂが配置されていて、このさや管連結鋼材１４Ｂの両端部は２つの基礎壁体さや管１４Ａの外面に溶接により取り付けられており、２つの基礎壁体さや管１４Ａはさや管連結鋼材１４Ｂを介して一体化されている。
【００６６】
基礎壁体ブロック１４は、その基礎壁体さや管１４Ａの中心が基礎フーチングブロック１２の基礎フーチングさや管１２Ａの中心と一致するように基礎フーチングブロック１２の上に重ねられ、さらに、その基礎壁体ブロック１４の上には、基礎壁体さや管１４Ａの中心同士が一致するように基礎壁体ブロック１４が必要な段数だけ重ねられている。
【００６７】
そのように重ねられて上下方向に連なった基礎フーチングさや管１２Ａおよび基礎壁体さや管１４Ａの内側には、基礎連結用鋼管１６が上下方向に貫くように配置されており、さらに、基礎フーチングさや管１２Ａおよび基礎壁体さや管１４Ａと基礎連結用鋼管１６との間隙にはグラウト材が充填されており、基礎フーチングブロック１２および基礎壁体ブロック１４は基礎連結用鋼管１６およびグラウト材を介して一体化されている。
【００６８】
なお、図７では、基礎壁体さや管１４Ａの下端位置は、基礎壁体ブロック１４の下面と同じ高さ位置となるようにし、基礎壁体さや管１４Ａの上端位置は、基礎壁体ブロック１４の上面と同じ高さ位置となるようにしているが、図５、図６に示した基礎フーチングさや管１２Ａの場合と同様に、基礎壁体さや管１４Ａにおいても、基礎壁体さや管１４Ａの下端位置は、基礎壁体ブロック１４の下面よりも上方に位置してもよく、また、基礎壁体さや管１４Ａの上端位置は基礎壁体ブロック１４の上面よりも下方に位置してもよい。即ち、基礎壁体さや管１４Ａは基礎壁体ブロック１４の貫通孔１４Ｘの内面を全面覆っていなくてもよい。基礎壁体さや管１４Ａの腐食を防止する観点からは、基礎壁体さや管１４Ａの下端位置は、基礎壁体ブロック１４の下面よりも上方に位置した方が好ましく、基礎壁体さや管１４Ａの上端位置は、基礎壁体ブロック１４の上面よりも下方に位置した方が好ましい。即ち、基礎壁体さや管１４Ａが外界に暴露しないようにある程度のかぶりを設けておくことが好ましい。
【００６９】
また、図３、図５、図６に示した基礎フーチングさや管１２Ａの場合と同様に、基礎壁体さや管１４Ａにおいても、貫通孔１４Ｘの内面全面を基礎壁体さや管１４Ａが覆っている場合、貫通孔１４Ｘの内面全面が基礎壁体さや管１４Ａで覆われていない場合、貫通孔１４Ｘの内面に見かけ上段差がない場合、見かけ上段差がある場合のいずれの場合も、貫通孔１４Ｘの内面に基礎壁体さや管１４Ａを備えているものとする。
【００７０】
また、基礎壁体さや管１４Ａは、基礎壁体ブロック１４のコンクリート打設時には貫通孔１４Ｘ形成のための型枠の役割を果たし、基礎壁体さや管１４Ａの外面はコンクリート打設と同時に基礎壁体ブロック１４に埋め込まれ、（さや管連結鋼材１４Ｂの寄与を考えなければ）コンクリートとの付着力により、基礎壁体ブロック１４と一体化している。換言すれば、さや管連結鋼材１４Ｂの寄与を考えなければ、基礎壁体さや管１４Ａはコンクリートとの付着力により貫通孔１４Ｘの内面へ取り付けられている。コンクリートとの付着力を向上させる点で、基礎壁体さや管１４Ａの外面にはずれ止め（シアキー）を設けることが好ましい。ずれ止め（シアキー）としては、例えば丸鋼、溶接ビード、角鋼等を用いることができる。
【００７１】
また、基礎壁体さや管１４Ａの材質は特に限定されず、所定以上の強度、弾性率、およびグラウト材との所定以上の接着力等を有する材料であればよく、例えば鉄鋼材料を好適に用いることができる。
【００７２】
なお、２つの基礎壁体さや管１４Ａ同士をさや管連結鋼材１４Ｂによって連結しなくても安全性が確保できるのであれば、さや管連結鋼材１４Ｂは設けなくてもよい。ただし、２つの基礎壁体さや管１４Ａ同士をさや管連結鋼材１４Ｂによって連結した方が、基礎壁体ブロック１４の断面のコンパクト化を図ることができ、基礎壁体ブロック１４の重量を軽減することができる。
【００７３】
基礎連結用鋼管１６は、円筒状の鋼管であり、上下方向に重ねられた基礎フーチングさや管１２Ａおよび基礎壁体さや管１４Ａの内側に上下方向に貫くように配置されて、基礎フーチングブロック１２および基礎壁体ブロック１４を一体化する役割を有する。前述したように、基礎フーチングさや管１２Ａおよび基礎壁体さや管１４Ａと基礎連結用鋼管１６との間隙にはグラウト材が充填されており、これにより基礎フーチングブロック１２および基礎壁体ブロック１４は基礎連結用鋼管１６およびグラウト材を介して一体化されている。
【００７４】
また、基礎連結用鋼管１６の上端部は、図１に示すように、最上段の基礎壁体ブロック１４の上面よりもさらに上方にまで伸びている。最上段の基礎壁体ブロック１４の上面よりもさらに上方にまで伸びた基礎連結用鋼管１６の部位は、基礎構造１０の上方に配置される構造物との連結に活用することができる。
【００７５】
なお、基礎連結用鋼管１６は一体的に成形されたものでなくてもよく、現場で溶接等により連結して必要な長さを確保するようにしてもよい。また、必要な耐力および剛性が確保できるのであれば、高さ位置に応じて基礎連結用鋼管１６の管径や中心の位置を変動させてもよい。
【００７６】
また、本第１態様の基礎構造１０では、基礎フーチングブロック１２および基礎壁体ブロック１４を連結して一体化するために基礎連結用鋼管１６を用いたが、基礎フーチングブロック１２および基礎壁体ブロック１４を必要な耐力および剛性を確保して一体化できる素材であれば、鋼管に限定されず、基礎連結用鋼管１６に替えて例えばＨ形鋼等の形鋼を用いることもできる。また、鋼板からビルドアップして製作されている鋼材を用いることも可能である。
【００７７】
中詰め土１８は、図１に示すように、対向する基礎ブロック構造１１の間の空間（基礎フーチングブロック１２および基礎壁体ブロック１４によって下方と側方を囲まれた空間であり、お互いに近接して対向する水平方向に張り出した部位１２Ｃ同士の上方。）に充填されており、基礎構造１０と一体となって動く。このため、中詰め土１８の重量も、基礎構造１０および基礎構造１０の上方に配置される構造物の滑動や転倒を防ぐことに寄与する。
【００７８】
また、中詰め土１８は、現地にて床掘りした土を用いることができるので、本第１態様の基礎構造１０は、低コスト化、省資源、および廃棄物の削減に有効な構造である。
【００７９】
なお、本第１態様の基礎構造１０では、対向して配置されている基礎ブロック構造１１の下面（最下段の基礎フーチングブロック１２の下面）の位置が同一の高さ位置になっているが、地形等の条件によっては、基礎ブロック構造１１の下面（最下段の基礎フーチングブロック１２の下面）の位置は必ずしも同一の高さ位置になっていなくてもよい。この場合、基礎壁体ブロック１４の段数を変えたり、あるいは基礎壁体ブロック１４自体の高さを変えること等によって対応をすることができる。
【００８０】
また、本第１態様の基礎構造１０においては、２つのＬ字型の基礎ブロック構造１１が対向するように配置されているが、上部構造の壁体を海側の基礎ブロック構造１１の真上に設ける場合で、安全性が確保できる場合には、陸側の基礎ブロック構造１１を省略し、海側の基礎ブロック構造１１が１列に並んだ構造（海側の基礎ブロック構造１１が壁面１１Ａと平行な水平方向に１列に並んだ構造）としてもよい。
【００８１】
（基礎構造の第２態様）
図９は本発明の実施形態に係る堤体における基礎構造の第２態様を示す側面図（第２態様の基礎構造を構成する基礎壁体ブロック１４の長手方向から見た側面図）である。
【００８２】
本第２態様の基礎構造２０は、対向する逆Ｔ字型の基礎ブロック構造２１の間に中詰め土１８が充填されてなり、支持地盤１上に設けられている。基礎ブロック構造２１は、基礎フーチングブロック２２と、基礎壁体ブロック１４と、基礎連結用鋼管１６と、を備えている。
【００８３】
また、本第２態様の基礎構造２０は、基礎壁体ブロック１４の長手方向（基礎構造２０の基礎ブロック構造２１の壁面２１Ａと平行な水平方向であり、図９において紙面と直交する方向）に延びており、上部構造の壁体が延びる方向と同じ方向に延びている。
【００８４】
先に説明した第１態様の基礎構造１０で用いた基礎フーチングブロック１２においては、フーチングは片側のみ水平方向に張り出していたが（部位１２Ｃ）、本第２態様の基礎構造２０で用いる基礎フーチングブロック２２は水平方向に張り出した部位２２Ｃ、２２Ｄを有しており、フーチングが両側の水平方向に張り出している。この点以外は、第１態様の基礎構造１０と同様であり、第１態様の基礎構造１０と同様の部材には同一の番号を付し、説明は原則として省略する。
【００８５】
図１０は本第２態様の基礎構造２０で用いる基礎フーチングブロック２２の断面図（基礎フーチングさや管２２Ａの中心を通り、かつ、さや管連結鋼材２２Ｂと直交する鉛直面で切断した断面図）であり、図１１は基礎フーチングブロック２２を上方から見た平面図である。
【００８６】
基礎フーチングブロック２２は、第１態様の基礎フーチングブロック１２と同様、プレキャスト化されたコンクリート製のフーチング部材で、水平方向に張り出した部位２２Ｃ、２２Ｄを有する受圧面積の広い土台であり、本第２態様の基礎構造２０において最下部に位置し、支持地盤１に構造物からの荷重を伝達して、基礎構造２０および基礎構造２０の上方に配置される構造物を安定性よく支持する役割を有する。
【００８７】
基礎フーチングブロック２２における貫通孔、さや管およびさや管連結鋼材の配置位置は、第１態様の基礎フーチングブロック１２における貫通孔、さや管およびさや管連結鋼材と同様の位置であり、図１０、図１１に示すように、厚さが最も厚い部位の両端部に貫通孔２２Ｘを有しており、該貫通孔２２Ｘの内面には基礎フーチングさや管２２Ａを備えている。また、２つの基礎フーチングさや管２２Ａの間にはさや管連結鋼材２２Ｂが配置されていて、このさや管連結鋼材２２Ｂの両端部は２つの基礎フーチングさや管２２Ａの外面に溶接により取り付けられており、２つの基礎フーチングさや管２２Ａはさや管連結鋼材２２Ｂを介して一体化されている。
【００８８】
なお、図１０では、基礎フーチングさや管２２Ａの下端位置は、基礎フーチングブロック２２の下面と同じ高さ位置となるようにし、基礎フーチングさや管２２Ａの上端位置は、基礎フーチングブロック２２の上面と同じ高さ位置となるようにしているが、図５、図６に示した基礎フーチングさや管１２Ａの場合と同様に、基礎フーチングさや管２２Ａにおいても、基礎フーチングさや管２２Ａの下端位置は、基礎フーチングブロック２２の下面よりも上方に位置してもよく、また、基礎フーチングさや管２２Ａの上端位置は基礎フーチングブロック２２の上面よりも下方に位置してもよい。即ち、基礎フーチングさや管２２Ａは基礎フーチングブロック２２の貫通孔２２Ｘの内面を全面覆っていなくてもよい。基礎フーチングさや管２２Ａの腐食を防止する観点からは、基礎フーチングさや管２２Ａの下端位置は、基礎フーチングブロック２２の下面よりも上方に位置した方が好ましく、基礎フーチングさや管２２Ａの上端位置は、基礎フーチングブロック２２の上面よりも下方に位置した方が好ましい。即ち、基礎フーチングさや管２２Ａが外界に暴露しないようにある程度のかぶりを設けておくことが好ましい。
【００８９】
また、図３、図５、図６に示した基礎フーチングさや管１２Ａの場合と同様に、基礎フーチングさや管２２Ａにおいても、貫通孔２２Ｘの内面全面を基礎フーチングさや管２２Ａが覆っている場合、貫通孔２２Ｘの内面全面が基礎フーチングさや管２２Ａで覆われていない場合、貫通孔２２Ｘの内面に見かけ上段差がない場合、見かけ上段差がある場合のいずれの場合も、貫通孔２２Ｘの内面に基礎フーチングさや管２２Ａを備えているものとする。
【００９０】
また、基礎フーチングさや管２２Ａは、基礎フーチングブロック２２のコンクリート打設時には貫通孔２２Ｘ形成のための型枠の役割を果たし、基礎フーチングさや管２２Ａの外面はコンクリート打設と同時に基礎フーチングブロック２２に埋め込まれ、（さや管連結鋼材２２Ｂの寄与を考えなければ）コンクリートとの付着力により、基礎フーチングブロック２２と一体化している。換言すれば、さや管連結鋼材２２Ｂの寄与を考えなければ、基礎フーチングさや管２２Ａはコンクリートとの付着力により貫通孔２２Ｘの内面へ取り付けられている。コンクリートとの付着力を向上させる点で、基礎フーチングさや管２２Ａの外面にはずれ止め（シアキー）を設けることが好ましい。ずれ止め（シアキー）としては、例えば丸鋼、溶接ビード、角鋼等を用いることができる。
【００９１】
また、基礎フーチングさや管２２Ａの材質は特に限定されず、所定以上の強度、弾性率、およびグラウト材との所定以上の接着力等を有する材料であればよく、例えば鉄鋼材料を好適に用いることができる。
【００９２】
基礎フーチングブロック２２は水平方向に張り出した部位２２Ｃ、２２Ｄを有しており、フーチングが両側の水平方向に張り出しているので、受圧面積が広くなっている。このため、基礎構造２０の上方に配置される構造物に作用する外力が大きい場合において好適な部材となる。
【００９３】
なお、２つの基礎フーチングさや管２２Ａ同士をさや管連結鋼材２２Ｂによって連結しなくても安全性が確保できるのであれば、さや管連結鋼材２２Ｂは設けなくてもよい。ただし、２つの基礎フーチングさや管２２Ａ同士をさや管連結鋼材２２Ｂによって連結した方が、基礎フーチングブロック２２の断面のコンパクト化を図ることができ、基礎フーチングブロック２２の重量を軽減することができる。
【００９４】
また、本第２態様の基礎構造２０では、対向して配置されている基礎ブロック構造２１の下面（最下段の基礎フーチングブロック２２の下面）の位置が同一の高さ位置になっているが、地形等の条件によっては、基礎ブロック構造２１の下面（最下段の基礎フーチングブロック２２の下面）の位置は必ずしも同一の高さ位置になっていなくてもよい。この場合、基礎壁体ブロック１４の段数を変えたり、あるいは基礎壁体ブロック１４自体の高さを変えること等によって対応をすることができる。
【００９５】
また、本第２態様の基礎構造２０の上方に堤体を設置する場合、設置する堤体の法線方向（設置する堤体の延びる方向）は、本第２態様の基礎構造２０の延びる方向（基礎構造２０の基礎壁体ブロック１４の長手方向（基礎構造２０の基礎ブロック構造２１の壁面２１Ａと平行な水平方向）であり、図９において紙面と直交する方向。）と一致することになる。
【００９６】
また、本第２態様の基礎構造２０においては、２つの逆Ｔ字型の基礎ブロック構造２１が対向するように配置されているが、上部構造の壁体を海側の基礎ブロック構造２１の真上に設ける場合で、安全性が確保できる場合には、陸側の基礎ブロック構造２１を省略し、海側の基礎ブロック構造２１が１列に並んだ構造（海側の基礎ブロック構造２１が壁面２１Ａと平行な水平方向に１列に並んだ構造）としてもよい。
【００９７】
（基礎構造の第３態様）
図１２は本発明の実施形態に係る堤体における基礎構造の第３態様を示す側面図（第３態様の基礎構造を構成する基礎壁体ブロック１４の長手方向から見た側面図）である。図１３は図１２のＸＩＩＩ−ＸＩＩＩ線断面図である。
【００９８】
本第３態様の基礎構造３０は、対向する逆Ｔ字型の基礎ブロック構造３１の間に中詰め土１８が充填されてなり、支持地盤１上に設けられている。基礎ブロック構造３１は、基礎フーチングブロック３２と、基礎壁体ブロック１４と、基礎連結用鋼管１６と、を備えてなり、支持地盤１上に設けられている。
【００９９】
先に説明した第１態様の基礎構造１０で用いた基礎フーチングブロック１２においては、フーチングは片側のみに張り出していたが（部位１２Ｃ）、本第３態様の基礎構造３０で用いる基礎フーチングブロック３２は水平方向に張り出した部位３２Ｃ、３２Ｄ（以下、単に部位３２Ｃ、３２Ｄと記すことがある。）を有しており、一方の側（部位３２Ｃ）だけでなく他方の側（部位３２Ｄ）もわずかであるがフーチングが張り出している。
【０１００】
また、本第３態様の基礎構造３０においては、基礎フーチングブロック３２の上方に基礎壁体ブロック１４が３段積まれてなるＬ字状の構造物である基礎ブロック構造物３１が、図１２に示すように背中合わせに配置されており、このような背中合わせに配置された基礎ブロック構造物３１が、本第３態様の基礎構造３０の基礎壁体ブロック１４の長手方向と直交する方向（基礎構造３０の基礎ブロック構造３１の壁面３１Ａと直交する方向）（図１２、図１３において紙面と平行な左右方向であり、上部構造の壁体が延びる方向。）に多数配置されている。
【０１０１】
第１、第２態様の基礎構造１０、２０の上方に堤体を設置する場合、設置する堤体の法線方向（設置する堤体の延びる方向）は、それぞれ基礎構造１０、２０の延びる方向（基礎構造１０、２０の基礎壁体ブロック１４の長手方向（基礎構造１０、２０の基礎ブロック構造１１、２１の壁面１１Ａ、２１Ａと平行な水平方向）であり、図１、図９において紙面と直交する方向。）であったが、本第３態様の基礎構造３０の上方に堤体を設置する場合、設置する堤体の法線方向（設置する堤体の延びる方向）は、基礎構造３０の基礎壁体ブロック１４の長手方向と直交する水平方向（基礎構造３０の基礎ブロック構造３１の壁面３１Ａと直交する方向）であり、図１２、図１３において紙面と平行な左右方向である。
【０１０２】
なお、本第３態様の基礎構造３０においては、図１２に示すように、背中合わせに配置された基礎壁体ブロック１４同士の間にもわずかに隙間があるが、この隙間にも中詰め土１８が充填されている。この中詰め土１８の重量も、基礎構造３０および基礎構造３０の上方に配置される構造物の滑動や転倒を防ぐことに寄与する。
【０１０３】
以上の点以外は、基礎構造３０を構成する各部材は、第１態様の基礎構造１０と同様であり、第１態様の基礎構造１０と同様の部材には同一の番号を付し、説明は原則として省略する。
【０１０４】
図１４は本第３態様の基礎構造３０で用いる基礎フーチングブロック３２の断面図（基礎フーチングさや管３２Ａの中心を通り、かつ、さや管連結鋼材３２Ｂと直交する鉛直面で切断した断面図）であり、図１５は基礎フーチングブロック３２を上方から見た平面図である。
【０１０５】
基礎フーチングブロック３２は、第１態様の基礎フーチングブロック１２と同様、プレキャスト化されたコンクリート製のフーチング部材で、水平方向に張り出した部位３２Ｃ、３２Ｄを有する受圧面積の広い土台であり、本第３態様の基礎構造３０において最下部に位置し、支持地盤１に構造物からの荷重を伝達して、基礎構造３０および基礎構造３０の上方に配置される構造物を安定性よく支持する役割を有する。
【０１０６】
基礎フーチングブロック３２における貫通孔、さや管およびさや管連結鋼材の形状、配置位置は、第１態様の基礎フーチングブロック１２における貫通孔、さや管およびさや管連結鋼材と同様であり、図１４、図１５に示すように、厚さが最も厚い部位の両端部に貫通孔３２Ｘを有しており、該貫通孔３２Ｘの内面には基礎フーチングさや管３２Ａを備えている。また、２つの基礎フーチングさや管３２Ａの間にはさや管連結鋼材３２Ｂが配置されていて、このさや管連結鋼材３２Ｂの両端部は２つの基礎フーチングさや管３２Ａの外面に溶接により取り付けられており、２つの基礎フーチングさや管３２Ａはさや管連結鋼材３２Ｂを介して一体化されている。
【０１０７】
基礎フーチングブロック３２は、一方の側（部位３２Ｃ）だけでなく、他方の側（部位３２Ｄ）にもフーチングがわずかに張り出しているので、図１２に示すように、背中合わせになる基礎壁体ブロック１４同士の間に隙間が生じる。このため、基礎壁体ブロック１４の取り付け位置が施工時にわずかにずれてしまったとしても（基礎壁体ブロック１４の基礎壁体さや管１４Ａの中心の位置が、それよりも下方に位置する基礎フーチングブロック３２の基礎フーチングさや管３２Ａまたは基礎壁体ブロック１４の基礎壁体さや管１４Ａの中心の位置からわずかにずれてしまったとしても）、基礎壁体ブロック１４同士は干渉せず、施工を良好に行いやすくなる。また、背中合わせになる基礎壁体ブロック１４同士の間に隙間が生じることを許容することにより、基礎壁体ブロック１４を適宜必要な大きさにまで小型化しやすくなり、軽量化しやすくなる。
【０１０８】
ただし、本第３態様の基礎構造３０において、背中合わせになる基礎壁体ブロック１４同士の間に隙間を設けることは必須ではない。背中合わせになる基礎壁体ブロック１４同士の間に隙間を設けない場合には、基礎フーチングブロック３２に替えて、第１態様で用いた基礎フーチングブロック１２を用いて本第３態様のように配置すればよい。
【０１０９】
なお、２つの基礎フーチングさや管３２Ａ同士をさや管連結鋼材３２Ｂによって連結しなくても安全性が確保できるのであれば、さや管連結鋼材３２Ｂは設けなくてもよい。ただし、２つの基礎フーチングさや管３２Ａ同士をさや管連結鋼材３２Ｂによって連結した方が、基礎フーチングブロック３２の断面のコンパクト化を図ることができ、基礎フーチングブロック３２の重量を軽減することができる。
【０１１０】
また、本第３態様の基礎構造３０では、上部構造の壁体が延びる方向に多数配置されている基礎ブロック構造３１の下面（最下段の基礎フーチングブロック３２の下面）の位置が同一の高さ位置になっているが、地形等の条件によっては、基礎ブロック構造３１の下面（最下段の基礎フーチングブロック３２の下面）の位置は必ずしも同一の高さ位置になっていなくてもよい。この場合、基礎壁体ブロック１４の段数を変えたり、あるいは基礎壁体ブロック１４自体の高さを変えること等によって対応をすることができる。
【０１１１】
また、本第３態様の基礎構造３０の上方に堤体を設置する場合、設置する堤体の法線方向（設置する堤体の延びる方向）は、本第３態様の基礎構造３０の基礎壁体ブロック１４の長手方向と直交する水平方向（基礎構造３０の基礎ブロック構造３１の壁面３１Ａと直交する方向であり、図１２、図１３において紙面と平行な左右方向。）となる。
【０１１２】
なお、以上説明した第１〜第３態様の基礎構造１０、２０、３０では、基礎連結用鋼管１６、基礎フーチングさや管１２Ａ、２２Ａ、３２Ａおよび基礎壁体さや管１４Ａに対しては、それぞれ円筒状の鋼管を用いたが、必ずしも円筒状の鋼管でなくてもよく、例えば断面が矩形状の鋼管であってもよい。
【０１１３】
また、基礎フーチングブロック１２、２２、３２において、貫通孔１２Ｘ、２２Ｘ、３２Ｘを設けることに替えて、下端が閉塞されている非貫通孔（上方のみ開口している非貫通孔）にしてもよい。
【０１１４】
また、第１〜第３態様の基礎構造１０、２０、３０では、中詰め材として中詰め土１８を用いたが、中詰め材として用いることができる材料は土に限定されるわけではなく、砂であってもよく、また、土と砂の混合物であってもよい。さらに、土や砂以外の材料であってもよく、例えば鉄鋼スラグ、非鉄金属スラグ（銅スラグ等）やコンクリートがら等を用いることもできる。
【０１１５】
２．上部構造
（上部構造の第１態様）
図１６は本発明の実施形態に係る堤体における上部構造の第１態様を示す側面図（堤体の法線方向（堤体の延びる方向）から見た側面図）であり、図１７は図１６のＸＶＩＩ−ＸＶＩＩ線断面図である。ただし、図１６では図示をわかりやすくする都合上、本来は見えない内部の構造を記載した箇所もあり、当該箇所では、本来隠れ線として破線で記載すべき線も実線で記載している箇所もある。また、図１６、図１７では上部構造だけでなく基礎構造も描いており、本発明の第１実施形態の堤体９０の全体を示しているが、上部構造の第１態様の説明においては、図１６、図１７を用いて説明する。
【０１１６】
本第１態様の上部構造４０は、プレキャストフーチング４２と、３段に積まれたプレキャスト壁体（下段および中段のプレキャスト壁体４４ならびに最上段プレキャスト壁体４６）とが基礎連結用鋼管１６を介して一体化されて構成されており、基礎構造１０の上方に配置されている。そして、さらに、本第１態様の上部構造４０は、基礎連結用鋼管１６を介して基礎構造１０と一体化されており、本発明の第１実施形態の堤体９０の上部構造となっている。
【０１１７】
図１８はプレキャストフーチング４２の端面図（突出さや管４２Ａの中心およびフーチング内さや管４２Ｂの中心を通る鉛直面で切断した端面図）である。ここで、突出さや管４２Ａの中心とは突出さや管４２Ａをその長手方向に対する垂直面で切断して得られる円形断面の中心のことであり、フーチング内さや管４２Ｂの中心とはフーチング内さや管４２Ｂをその長手方向に対する垂直面で切断して得られる円形断面の中心のことである。本明細書では、円柱形状の立体について「中心」と記載したときには以下同様に考える。
【０１１８】
プレキャストフーチング４２は、プレキャスト化されたフーチングで、基礎連結用鋼管１６を介して基礎構造１０に連結されて固定された土台であり、堤体９０のプレキャスト壁体４４、４６を安定性よく支持して、プレキャスト壁体４４、４６の自重およびプレキャスト壁体４４、４６に加わる外力を基礎構造１０に伝達する役割を有する。
【０１１９】
図１７に示すように、プレキャストフーチング４２は、２つの突出さや管４２Ａと、２つのフーチング内さや管４２Ｂと、を備えている。また、図１８に示すように、プレキャストフーチング４２は、突出さや管貫通孔４２Ｘとフーチング内さや管貫通孔４２Ｙ（以下、貫通孔４２Ｘ、４２Ｙと記すことがある。）とを有し、突出さや管貫通孔４２Ｘの内面には突出さや管４２Ａが備えられ、フーチング内さや管貫通孔４２Ｙの内面にはフーチング内さや管４２Ｂが備えられている。
【０１２０】
突出さや管４２Ａとフーチング内さや管４２Ｂとの間にはさや管連結鋼材４２Ｃが配置されていて、このさや管連結鋼材４２Ｃの両端部は突出さや管４２Ａおよびフーチング内さや管４２Ｂの外面に溶接により取り付けられており、突出さや管４２Ａおよびフーチング内さや管４２Ｂはさや管連結鋼材４２Ｃを介して一体化されている。
【０１２１】
なお、図１８では、突出さや管４２Ａおよびフーチング内さや管４２Ｂの下端位置は、プレキャストフーチング４２の下面と同じ高さ位置となるようにし、フーチング内さや管４２Ｂの上端位置は、プレキャストフーチング４２の上面と同じ高さ位置となるようにしているが、図５、図６に示した基礎フーチングさや管１２Ａの場合と同様に、突出さや管４２Ａおよびフーチング内さや管４２Ｂにおいても、突出さや管４２Ａおよびフーチング内さや管４２Ｂの下端位置は、プレキャストフーチング４２の下面よりも上方に位置してもよく、また、フーチング内さや管４２Ｂの上端位置はプレキャストフーチング４２の上面よりも下方に位置してもよい。即ち、突出さや管４２Ａはプレキャストフーチング４２の突出さや管貫通孔４２Ｘの内面を全面覆っていなくてもよく、フーチング内さや管４２Ｂはプレキャストフーチング４２のフーチング内さや管貫通孔４２Ｙの内面を全面覆っていなくてもよい。突出さや管４２Ａおよびフーチング内さや管４２Ｂの腐食を防止する観点からは、突出さや管４２Ａおよびフーチング内さや管４２Ｂの下端位置は、プレキャストフーチング４２の下面よりも上方に位置した方が好ましく、フーチング内さや管４２Ｂの上端位置は、プレキャストフーチング４２の上面よりも下方に位置した方が好ましい。
【０１２２】
また、図３、図５、図６に示した基礎フーチングさや管１２Ａの場合と同様に、突出さや管４２Ａおよびフーチング内さや管４２Ｂにおいても、貫通孔４２Ｘ、４２Ｙの内面全面をそれぞれ突出さや管４２Ａおよびフーチング内さや管４２Ｂが覆っている場合、貫通孔４２Ｘ、４２Ｙの内面全面がそれぞれ突出さや管４２Ａおよびフーチング内さや管４２Ｂで覆われていない場合、貫通孔４２Ｘ、４２Ｙの内面に見かけ上段差がない場合、見かけ上段差がある場合のいずれの場合も、貫通孔４２Ｘ、４２Ｙの内面にそれぞれ突出さや管４２Ａおよびフーチング内さや管４２Ｂを備えているものとする。
【０１２３】
また、突出さや管４２Ａおよびフーチング内さや管４２Ｂは、プレキャストフーチング４２のコンクリート打設時にはそれぞれ貫通孔４２Ｘ、４２Ｙ形成のための型枠の役割を果たし、突出さや管４２Ａおよびフーチング内さや管４２Ｂの外面はコンクリート打設と同時にプレキャストフーチング４２に埋め込まれ、（さや管連結鋼材４２Ｃの寄与を考えなければ）コンクリートとの付着力により、プレキャストフーチング４２と一体化している。換言すれば、さや管連結鋼材４２Ｃの寄与を考えなければ、突出さや管４２Ａおよびフーチング内さや管４２Ｂはコンクリートとの付着力によりそれぞれ貫通孔４２Ｘ、４２Ｙの内面へ取り付けられている。コンクリートとの付着力を向上させる点で、突出さや管４２Ａの外面にはずれ止め（シアキー）を設けることが好ましい。ずれ止め（シアキー）としては、例えば丸鋼、溶接ビード、角鋼等を用いることができる。突出さや管４２Ａは、大津波を受けた時の断面力を確実にフーチングに伝達できるようにするのに必要な長さ以上プレキャストフーチング４２の中に埋め込まれていることが好ましい。
【０１２４】
また、突出さや管４２Ａおよびフーチング内さや管４２Ｂの材質は特に限定されず、所定以上の強度、弾性率、およびグラウト材との所定以上の接着力等を有する材料であればよく、例えば鉄鋼材料を好適に用いることができる。
【０１２５】
また、プレキャストフーチング４２の上面と地表面との位置関係は特に限定されず、プレキャストフーチング４２の上面が地表面とほぼ一致するようにしてもよい。また、プレキャストフーチング４２の上面に盛土があってもよく、この場合はプレキャストフーチング４２の上面は地表面よりも下方になる。また、プレキャストフーチング４２の下面が地表面とほぼ一致するようにする場合は、プレキャストフーチング４２の海側前面に遮水矢板を設けることが好ましい。この場合はプレキャストフーチング４２の上面は地表面よりも上方になる。ただし、先に述べた第１〜第３態様の基礎構造１０、２０、３０を用いる場合には、安全性が確認できれば、プレキャストフーチング４２の海側前面に遮水矢板を設けることを省略してもよい。
【０１２６】
また、フーチング内さや管４２Ｂは貫通孔４２Ｙの内面に設けられているが、フーチング内さや管４２Ｂが設けられる孔は必ずしも貫通孔である必要はなく、少なくとも下方に開口した孔（下方開口孔）であればよい。
【０１２７】
なお、突出さや管４２Ａおよびフーチング内さや管４２Ｂをさや管連結鋼材４２Ｃによって連結しなくても安全性が確保できるのであれば、さや管連結鋼材４２Ｃは設けなくてもよい。ただし、突出さや管４２Ａおよびフーチング内さや管４２Ｂをさや管連結鋼材４２Ｃによって連結した方が、プレキャストフーチング４２の断面のコンパクト化を図ることができ、プレキャストフーチング４２の重量を軽減することができる。
【０１２８】
次に、本第１態様の上部構造４０の壁体（下段および中段のプレキャスト壁体４４ならびに最上段プレキャスト壁体４６）について説明する。本第１態様の上部構造４０において、壁体は壁面が鉛直になるように３段に積み重ねられており、下段と中段にはプレキャスト壁体４４が用いられており、最上段には最上段プレキャスト壁体４６が用いられている。そして、下段および中段のプレキャスト壁体４４ならびに最上段プレキャスト壁体４６のそれぞれの壁体さや管４４Ａ、４６Ａには、図１６に示すように、上下方向に基礎連結用鋼管１６が差し込まれており、３段に積まれた壁体（下段および中段のプレキャスト壁体４４ならびに最上段プレキャスト壁体４６）が連結されている。
【０１２９】
図１９はプレキャスト壁体４４の正面図であり、図２０は図１９のＸＸ−ＸＸ線断面図である。図２１は最上段プレキャスト壁体４６の正面図であり、図２２は図２１のＸＸＩＩ−ＸＸＩＩ線断面図である。
【０１３０】
図１９、図２０に示すように、プレキャスト壁体４４は面内方向（上部構造４０完成後の鉛直方向）に貫通した壁体貫通孔４４Ｘを両端部に有し、壁体貫通孔４４Ｘの内面には壁体さや管４４Ａを有する。両端部の壁厚は中央部の壁厚よりも厚くなっており、テーパー部４４Ｂにおいて壁厚が変化している。壁体さや管４４Ａの上端の高さ位置はプレキャスト壁体４４の上面と同じ高さ位置となっており、壁体さや管４４Ａの下端の高さ位置はプレキャスト壁体４４の下面と同じ高さ位置となっている。
【０１３１】
また、図２１、図２２に示すように、最上段プレキャスト壁体４６（以下、プレキャスト壁体４６と記すことがある。）は面内方向（上部構造４０完成後の鉛直方向）に貫通した壁体貫通孔４６Ｘを両端部に有し、壁体貫通孔４６Ｘの内面には壁体さや管４６Ａを有する。両端部の壁厚は中央部の壁厚よりも厚くなっており、テーパー部４６Ｂにおいて壁厚が変化している。壁体さや管４６Ａの上端の高さ位置は最上段プレキャスト壁体４６の上面と同じ高さ位置となっており、壁体さや管４６Ａの下端の高さ位置は最上段プレキャスト壁体４６の下面と同じ高さ位置となっている。
【０１３２】
なお、図１９、図２１では、壁体さや管４４Ａ、４６Ａの下端位置は、それぞれプレキャスト壁体４４、４６の下面と同じ高さ位置となるようにし、壁体さや管４４Ａ、４６Ａの上端位置は、それぞれプレキャスト壁体４４、４６の上面と同じ高さ位置となるようにしているが、図２３（プレキャスト壁体４４の縦端面図の一部拡大図）、図２４（プレキャスト壁体４４の縦端面図の一部拡大図）に示すように、壁体さや管４４Ａの下端位置は、プレキャスト壁体４４の下面よりも上方に位置してもよく、また、壁体さや管４４Ａの上端位置はプレキャスト壁体４４の上面よりも下方に位置してもよい。即ち、壁体さや管４４Ａは壁体貫通孔４４Ｘの内面を全面覆っていなくてもよい。図示は省略するが、最上段プレキャスト壁体４６の壁体さや管４６Ａもプレキャスト壁体４４の壁体さや管４４Ａと同様、壁体さや管４６Ａは壁体貫通孔４６Ｘの内面を全面覆っていなくてもよい。
【０１３３】
また、図２３は、壁体貫通孔４４Ｘの内面に壁体さや管４４Ａの厚さの分だけ凹部を生じさせ、壁体貫通孔４４Ｘの内面に壁体さや管４４Ａを取り付けた状態で、壁体貫通孔４４Ｘの内面に見かけ上段差がなくなるようにした場合であり、図２４は、壁体貫通孔４４Ｘの内面に凹部を設けず、壁体貫通孔４４Ｘの内面に壁体さや管４４Ａを取り付けた状態で、壁体貫通孔４４Ｘの内面に壁体さや管４４Ａの厚さの分だけ見かけ上段差が生じている場合である。図示は省略するが、最上段プレキャスト壁体４６の場合もプレキャスト壁体４４の場合と同様に壁体貫通孔４６Ｘの内面に見かけ上段差が生じている場合と生じていない場合のどちらも取り得る。本明細書では、図１９、図２１、図２３、図２４のいずれの場合、即ち、壁体貫通孔４４Ｘ、４６Ｘの内面全面を壁体さや管４４Ａ、４６Ａが覆っている場合（図１９、図２１の場合）、壁体貫通孔４４Ｘ、４６Ｘの内面全面を覆っていない場合（図２３、図２４の場合）、壁体貫通孔４４Ｘ、４６Ｘの内面に見かけ上段差がない場合（図１９、図２１、図２３の場合）、見かけ上段差がある場合（図２４の場合）のいずれの場合も、壁体貫通孔４４Ｘ、４６Ｘの内面に壁体さや管４４Ａ、４６Ａを備えているものとする。
【０１３４】
壁体さや管４４Ａ、４６Ａはプレキャスト壁体４４、４６の耐力に寄与する。また、壁体さや管４４Ａ、４６Ａは基礎連結用鋼管１６の外周を取り囲んで、壁体さや管４４Ａ、４６Ａと基礎連結用鋼管１６との間のグラウト材を拘束し、大津波を受けた時の断面力を確実にプレキャスト壁体４４、４６から基礎連結用鋼管１６に伝達できるようにする役割も果たす。したがって、壁体さや管４４Ａの高さはプレキャスト壁体４４の高さの２分の１以上あることが好ましく、壁体さや管４６Ａの高さは最上段プレキャスト壁体４６の高さの２分の１以上あることが好ましい。
【０１３５】
また、壁体さや管４４Ａ、４６Ａの腐食を防止する観点からは、壁体さや管４４Ａ、４６Ａの下端位置は、それぞれプレキャスト壁体４４、４６の下面よりも上方に位置した方が好ましく、壁体さや管４４Ａ、４６Ａの上端位置は、それぞれプレキャスト壁体４４、４６の上面よりも下方に位置した方が好ましい。即ち、壁体さや管４４Ａ、４６Ａが外界に暴露しないようにある程度のかぶりを設けておくことが好ましい。
【０１３６】
また、壁体さや管４４Ａ、４６Ａの材質は特に限定されず、所定以上の強度、弾性率、およびグラウト材との所定以上の接着力等を有する材料であればよく、例えば鉄鋼材料を好適に用いることができる。
【０１３７】
また、プレキャスト壁体４４、４６はそれぞれテーパー部４４Ｂ、４６Ｂを有するが、テーパー部４４Ｂ、４６Ｂはなくてもよく、プレキャスト壁体４４、４６の形状は、図２０、図２２と同様の切断面で切断したときの断面が長方形となるような形状であってもよい。
【０１３８】
大津波を受けた時にプレキャスト壁体４４、４６に生じる断面力は、上方に位置する壁体ほど断面力が小さくなると考えられるので、安全性を確保できる範囲で上方に位置するプレキャスト壁体の厚さを下方に位置するプレキャスト壁体の厚さよりも薄くしてもよい。また、安全性を確保できる範囲で上方に位置するプレキャスト壁体の壁体さや管の径を下方に位置するプレキャスト壁体の壁体さや管の径よりも小さくしてもよい。ただし、上下のプレキャスト壁体の間で段差が生じないように、上方に位置するプレキャスト壁体の最下部の壁厚は下方に位置するプレキャスト壁体の最上部の壁厚と同じにし、上方に位置するプレキャスト壁体の下部にテーパー部を設けて、最下部から上方に向かって徐々に壁厚が薄くなるようにしておくことが好ましい。
【０１３９】
次に、プレキャストフーチング４２と最下段のプレキャスト壁体４４との接合部をさらに詳細に説明する。プレキャストフーチング４２と最下段のプレキャスト壁体４４との接合部にはプレキャストフーチング４２の突出さや管４２Ａが配置されている。なお、本明細書においては、プレキャストフーチング４２とプレキャスト壁体４４との接合部とは、上部構造４０の完成後においてプレキャストフーチング４２の突出さや管４２Ａが存在する高さ範囲の最下段のプレキャスト壁体４４の部位を意味し、図１６において符号４４Ｃで示す範囲である。
【０１４０】
図２５は、図１６の上部構造４０を突出さや管４２Ａを切断するように水平面で切断した断面（即ち、プレキャストフーチング４２とプレキャスト壁体４４との接合部４４Ｃを水平面で切断した断面）において突出さや管４２Ａの部位付近を拡大した拡大断面図である。図２５に示すように、大津波を受けた時に大きな断面力の生じるプレキャストフーチング４２とプレキャスト壁体４４との接合部４４Ｃは、基礎連結用鋼管１６の周囲を突出さや管４２Ａが囲み、さらに突出さや管４２Ａの周囲を壁体さや管４４Ａが囲んだ構造となっている。大津波を受けた時に生じる断面力は、プレキャストフーチング４２とプレキャスト壁体４４との接合部４４Ｃで最も過大となるが、接合部４４Ｃでは基礎連結用鋼管１６の周囲を突出さや管４２Ａが囲んでおり、基礎連結用鋼管１６と突出さや管４２Ａとの間のグラウト材４８は基礎連結用鋼管１６と突出さや管４２Ａとによりはさまれて強力に拘束されており、突出さや管４２Ａからグラウト材４８を介して基礎連結用鋼管１６へと効率的に断面力は伝達される。基礎連結用鋼管１６へ伝達された断面力は基礎構造１０へと伝達され、さらに支持地盤１へと伝達されるので、堤体９０は大津波に対しても安定した抵抗力を発揮することができる。また、本第１態様では突出さや管４２Ａの周囲をさらに壁体さや管４４Ａが囲んでおり、突出さや管４２Ａと壁体さや管４４Ａとの間のグラウト材４８も突出さや管４２Ａと壁体さや管４４Ａとによりはさまれて強力に拘束されており、壁体さや管４４Ａから突出さや管４２Ａへも断面力が効率的に伝達され、そしてその伝達された断面力は基礎連結用鋼管１６を経て基礎構造１０から支持地盤１へと効率的に伝達される。このように、堤体９０が大津波を受けた時に生じる断面力は支持地盤１へ効率的に伝達され、大津波に抵抗することができる。
【０１４１】
なお、大津波によって上部構造４０に加わる断面力の多くは、上部構造４０→突出さや管４２Ａ→グラウト材４８→基礎連結用鋼管１６→基礎構造１０→支持地盤１のように伝達していくが、突出さや管４２Ａと基礎連結用鋼管１６との間の応力伝達は、主にグラウト材４８を介しての付着力によりなされるので、基礎連結用鋼管１６とグラウト材４８との付着力および突出さや管４２Ａとグラウト材４８との付着力は向上させておくことが好ましい。このため、基礎連結用鋼管１６の外面および突出さや管４２Ａの内面にはずれ止め（シアキー）を設けることが好ましい。ずれ止め（シアキー）としては、例えば丸鋼、溶接ビード、角鋼等を用いることができる。
【０１４２】
また、プレキャストフーチング４２とプレキャスト壁体４４との接合部４４Ｃを耐力面から考えてみると、接合部４４Ｃの水平断面には、基礎連結用鋼管１６とプレキャストフーチング４２の突出さや管４２Ａとプレキャスト壁体４４の壁体さや管４４Ａが存在しており、これら３つの鋼管により鋼材量を稼ぐことができ、大津波を受けた時に生じる断面力に対しても十分な量の鋼材で抵抗することができる。さらに、基礎連結用鋼管１６と突出さや管４２Ａと壁体さや管４４Ａによる鋼材量で足りない時でも、比較的少量の鉄筋を追加するだけで済むので、良好な施工性を確保できる。これに対して、鉄筋のみで必要な鋼材量を確保しようとすると、鉄筋の配置が密になりすぎ、グラウト材充填時の施工性を確保しつつ鉄筋を配置することが困難になることがある。また、鉄筋のみで必要な鋼材量を確保できたとしても、現場で鉄筋を配置する工程が必要となり、現地施工期間が長くなってしまう。
【０１４３】
以上述べたように、プレキャストフーチング４２の突出さや管４２Ａとプレキャスト壁体４４の壁体さや管４４Ａは、グラウト材４８を拘束する観点、および接合部４４Ｃの水平断面における鋼材量を稼ぐ観点から、ある程度以上の板厚を有していることが好ましい。具体的には例えば、突出さや管４２Ａの板厚は突出さや管４２Ａの半径（中心から外縁までの距離）の７０分の１以上９分の１以下、かつ最小板厚７．９ｍｍとすることが好ましく、壁体さや管４４Ａの板厚は壁体さや管４４Ａの半径（中心から外縁までの距離）の７０分の１以上９分の１以下、かつ最小板厚７．９ｍｍとすることが好ましい。なお、好ましい範囲の上限値は効果と経済性の観点から定めたものである。
【０１４４】
プレキャストフーチング４２の突出さや管４２Ａの長さは、大津波を受けた時に生じる断面力を、基礎連結用鋼管１６と突出さや管４２Ａとの間、および突出さや管４２Ａと壁体さや管４４Ａとの間で効率的に伝達するのに必要な長さに設定する。具体的には例えば、他の部位の破壊前に突出さや管４２Ａとグラウト材４８との間で剥離が生じない長さに設定することが考えられる。また、突出さや管４２Ａとグラウト材４８との間の接着力を向上させるために、突出さや管４２Ａの外面と内面の両面に機械的な凹凸等を設けたり、グラウト材４８との間の接着力を向上させる下地剤等を塗布しておくことも好ましい。
【０１４５】
一方、突出さや管４２Ａよりも上側に位置する基礎連結用鋼管１６と壁体さや管４４Ａ、４６Ａとの間の断面力の伝達、および突出さや管４２Ａと壁体さや管４４Ａとの間の断面力の伝達は、相互に水平方向の力の伝達ができればよいので、基礎連結用鋼管１６と壁体さや管４４Ａ、４６Ａとの間および突出さや管４２Ａと壁体さや管４４Ａとの間にグラウト材４８を注入してもよいが、図２６（堤体９０の変形例（堤体９２）を該堤体９２の法線方向（堤体９２の延びる方向）から見た側面図）に示すように、基礎連結用鋼管１６と壁体さや管４４Ａ、４６Ａとの間および突出さや管４２Ａと壁体さや管４４Ａとの間に支圧力を伝達する鋼製の支圧板５０を設置することで断面力の伝達を図ってもよい。支圧板５０の形状は、基礎連結用鋼管１６の外面および壁体さや管４４Ａ、４６Ａの内面の形状、または突出さや管４２Ａの外面および壁体さや管４４Ａの内面の形状に合う形状になっており、かつ、所定以上の面積（例えば押し抜きせん断力によって座屈や破壊が起こらないのに必要な面積）で基礎連結用鋼管１６の外面および壁体さや管４４Ａ、４６Ａの内面と接触するようになっており、基礎連結用鋼管１６、突出さや管４２Ａと壁体さや管４４Ａ、４６Ａとの間で支圧力を良好に伝達できるようになっている。支圧板５０は基礎連結用鋼管１６の高さ方向の全長にわたって配置する必要はなく、断面力の伝達の必要に応じて離散的に配置すればよい。支圧板５０は支圧力の伝達ができる材質であれば特に限定されず、鋼製に限られない。
【０１４６】
次に、最上段プレキャスト壁体４６の天端の納まり（基礎連結用鋼管１６の上端の納まり）について説明する。
【０１４７】
図２７は、上部構造４０の上端部の拡大縦断面図である。
【０１４８】
図２７に示すように、最上段プレキャスト壁体４６の壁体さや管４６Ａの上端は、最上段プレキャスト壁体４６の天端と同じ高さ位置であるかそれよりも少し低くし、基礎連結用鋼管１６の上端は最上段プレキャスト壁体４６の天端よりも少し低くし、基礎連結用鋼管１６の上端を上方から覆う取り外し可能なゴムパッキン５２を配置し、さらにゴムパッキン５２の上方には仮蓋５４Ａを設けて基礎連結用鋼管１６に蓋をし、その上に砂、グラウト材、発泡ウレタン等の養生材５４Ｂを配置し、さらにその養生材５４Ｂを上方から覆う取り外し可能な蓋５６を設ける。ゴムパッキン５２は基礎連結用鋼管１６の上端に直接接して基礎連結用鋼管１６の上端を保護するが、基礎連結用鋼管１６の上端を保護できる養生であればゴムパッキン５２でなくてもよい。ただし、基礎連結用鋼管１６の上端に直接接する養生材はゴムパッキン５２のように柔軟性のある材質のものが好ましい。また、蓋５６の材質は特に限定されず、例えばコンクリート製または鋼製とすることができる。
【０１４９】
基礎連結用鋼管１６の上端は、最上段プレキャスト壁体４６を安定して支持する点で、最上段プレキャスト壁体４６の高さの２分の１以上の高さ位置に達していることが好ましい。
【０１５０】
また、基礎連結用鋼管１６の上端の高さ位置は、基礎連結用鋼管１６を上方に延長できる構造であることが好ましいが、基礎連結用鋼管１６の上端を上方から保護する養生材の設置しやすさの点で、基礎連結用鋼管１６の上端の高さ位置が最上段プレキャスト壁体４６の天端から５〜３０ｃｍ下方の高さ位置になるようにすることが好ましい。基礎連結用鋼管１６の上端の高さ位置が最上段プレキャスト壁体４６の天端から５ｃｍ未満下方の高さ位置であると、基礎連結用鋼管１６の上端を上方から保護する養生材を設置しにくくなる。一方、基礎連結用鋼管１６の上端の高さ位置が最上段プレキャスト壁体４６の天端から下方に３０ｃｍを超えると、基礎連結用鋼管１６の上端を上方から保護する養生材の量が多く必要になってしまう。なお、基礎連結用鋼管１６を上方に延長する可能性（壁体をかさ上げする可能性）がなければ、最上段プレキャスト壁体４６の天端にまで至る壁体貫通孔４６Ｘは設けなくてもよく、壁体貫通孔４６Ｘに替えて最上段プレキャスト壁体４６の天端が閉塞されている非貫通孔（下方のみ開口した壁体孔）にしてもよい。
【０１５１】
以上説明した基礎連結用鋼管１６の上端の納まりは、上方にプレキャスト壁体４４、４６が配置される海側の基礎連結用鋼管１６についてであるが、上方にプレキャスト壁体４４、４６が配置されない陸側の基礎連結用鋼管１６の上端の納まりについて同様にしてもよく、同様にする場合、プレキャストフーチング４２のフーチング内さや管４２Ｂの上端は、プレキャストフーチング４２の上面と同じ高さ位置であるかそれよりも少し低くし、陸側の基礎連結用鋼管１６の上端はプレキャストフーチング４２の上面よりも少し低くし、陸側の基礎連結用鋼管１６の上端の上方にはゴムパッキン（図示せず）を配置し、さらにこのゴムパッキンの上方は蓋（図示せず）でふさぐ。この蓋も蓋５６と同様に材質は特に限定されず、例えばコンクリート製または鋼製とすることができる。ただし、陸側の基礎連結用鋼管１６は延長することがほとんど考えられないので、陸側の基礎連結用鋼管１６の上端の上方をゴムパッキンで養生しなくてもよい。また、プレキャストフーチング４２の天端にまで至るフーチング内さや管貫通孔４２Ｙは設けなくてもよく、フーチング内さや管貫通孔４２Ｙに替えてプレキャストフーチング４２の天端が閉塞されている非貫通孔（下方のみ開口したフーチング孔）にしてもよい。
【０１５２】
以上説明した上部構造の第１態様（上部構造４０）では下段と中段の２つのプレキャスト壁体４４と最上段プレキャスト壁体４６を鉛直方向に重ね、壁体を３段に重ねているが、鉛直方向に重ねる壁体は３段に限定されるわけではなく、４段以上に重ねてもよい。また、壁体を１段または２段に設置してもよい。壁体を何段に重ねるかは、必要な堤体の高さや適用可能なクレーンの種類等によって適宜に設定すればよい。
【０１５３】
（上部構造の第２、第３態様）
図２８は本発明の実施形態に係る堤体における上部構造の第２態様を示す側面図（堤体の法線方向（堤体の延びる方向）から見た側面図）であり、図２９は図２８のＸＸＩＸ−ＸＸＩＸ線断面図である。ただし、図２８では図示をわかりやすくする都合上、本来は見えない内部の構造を記載した箇所もあり、当該箇所では、本来隠れ線として破線で記載すべき線も実線で記載している箇所もある。また、図２８、図２９では上部構造だけでなく基礎構造も描いており、本発明の第２実施形態の堤体９４の全体を示しているが、上部構造の第２態様の説明においては、図２８、図２９を用いて説明する。
【０１５４】
また、上部構造の第１態様で用いた部材と同様の部材については、原則として同一の番号を付し、原則として説明は省略する。
【０１５５】
本第２態様の上部構造６０は、プレキャストフーチング６２と、３段に積まれたプレキャスト壁体（下段および中段のプレキャスト壁体４４ならびに最上段プレキャスト壁体４６）とが壁体連結用鋼管６４を介して一体化されて構成されており、基礎構造１０の上方に配置されている。そして、さらに、本第２態様の上部構造６０は、基礎連結用鋼管１６を介して基礎構造１０と一体化されており、本発明の第２実施形態の堤体９４の上部構造となっている。
【０１５６】
本第２態様の上部構造６０と第１態様の上部構造４０との大きな違いは、第１態様の上部構造４０を側方から見たときの形状はＬ字型であるのに対し、第２態様の上部構造６０を側方から見たときの形状は逆Ｔ字型であることである。
【０１５７】
このため、第１態様の上部構造４０では、基礎構造１０において基礎フーチングブロック１２および基礎壁体ブロック１４の連結に用いた基礎連結用鋼管１６を、そのまま上部構造４０のプレキャストフーチング４２およびプレキャスト壁体４４、４６の連結に用いているのに対し、第２態様の上部構造６０では、基礎構造１０において基礎フーチングブロック１２および基礎壁体ブロック１４の連結に用いた基礎連結用鋼管１６とは別の部材である壁体連結用鋼管６４を用いて、上部構造６０のプレキャストフーチング６２およびプレキャスト壁体４４、４６の連結を行っている。したがって、上部構造６０においては、壁体連結用鋼管６４と基礎連結用鋼管１６と間での断面力の伝達を十分に行うために、法直連結鋼材６２Ｃ、６２Ｄをプレキャストフーチング６２内に配置することが必要となる（詳しくは後述する。）。
【０１５８】
プレキャストフーチング６２は、プレキャスト化されたフーチングで、基礎連結用鋼管１６を介して基礎構造１０に連結されて固定された土台であり、堤体９４のプレキャスト壁体４４、４６を安定性よく支持して、プレキャスト壁体４４、４６の自重およびプレキャスト壁体４４、４６に加わる外力を基礎構造１０に伝達する役割を有する。
【０１５９】
壁体連結用鋼管６４は、プレキャストフーチング６２の突出さや管６２Ａ、下段および中段に配置するプレキャスト壁体４４の壁体さや管４４Ａ、最上段に配置する最上段プレキャスト壁体４６の壁体さや管４６Ａに差し込まれ、プレキャストフーチング６２と、下段および中段に配置するプレキャスト壁体４４と、最上段に配置する最上段プレキャスト壁体４６と、を連結する役割を有する。このため、壁体連結用鋼管６４の長さは、最上段プレキャスト壁体４６の天端よりもわずかに下方の位置にまで達する長さとなっている。また、突出さや管６２Ａと壁体連結用鋼管６４との間にはグラウト材が充填されて一体化している。
【０１６０】
ここで、壁体連結用鋼管６４は一体的に成形されたものでなくてもよく、現場で溶接等により連結して必要な長さを確保するようにしてもよい。また、壁体連結用鋼管６４は高さ位置によって管径や中心の位置が変動してもよい。例えば、壁体連結用鋼管６４の高さが高くなるほど壁体から受ける水平方向の力は小さくなるので、壁体連結用鋼管６４の高さが高い位置ほど壁体連結用鋼管６４の管径を小さくしてもよい。
【０１６１】
また、プレキャストフーチング６２およびプレキャスト壁体４４、４６を必要な耐力および剛性を確保して一体化できる素材であれば、鋼管に限定されず、壁体連結用鋼管６４に替えて例えばＨ形鋼等の形鋼を用いることもできる。また、鋼板からビルドアップして製作されている鋼材を用いることも可能である。
【０１６２】
図３０はプレキャストフーチング６２を突出さや管６２Ａの中心と２つのフーチング内さや管６２Ｂの中心を通る鉛直面で切断した端面図である。
【０１６３】
図２９に示すように、プレキャストフーチング６２は、２つの突出さや管６２Ａと、４つのフーチング内さや管６２Ｂと、２つの法直連結鋼材６２Ｃと、２つの法直連結鋼材６２Ｄと、２つの法平連結鋼材６２Ｅと、を備えてなる。ここで、「法直」とは、プレキャスト壁体４４、４６の法線方向（堤体９４（上部構造６０）の延びる方向）と直交する方向を示す略語であり、法直連結鋼材６２Ｃ、６２Ｄはその材軸方向がプレキャスト壁体４４、４６の法線方向（堤体９４（上部構造６０）の延びる方向）と直交する方向となるように配置されている。また、「法平」とは、プレキャスト壁体４４、４６の法線方向（堤体９４（上部構造６０）の延びる方向）と平行な方向を示す略語であり、法平連結鋼材６２Ｅはその材軸方向がプレキャスト壁体４４、４６の法線方向（堤体９４（上部構造６０）の延びる方向）と平行な方向となるように配置されている。
【０１６４】
また、図３０に示すように、プレキャストフーチング６２は、突出さや管貫通孔６２Ｘとフーチング内さや管貫通孔６２Ｙとを有し、突出さや管貫通孔６２Ｘの内面には突出さや管６２Ａが備えられ、フーチング内さや管貫通孔６２Ｙの内面にはフーチング内さや管６２Ｂが備えられている。
【０１６５】
フーチング内さや管６２Ｂには、基礎構造１０から伸びてきている基礎連結用鋼管１６の上端部が差し込まれており、基礎連結用鋼管１６とフーチング内さや管６２Ｂとの間にはグラウト材が充填されて一体化されており、これにより基礎連結用鋼管１６はプレキャストフーチング６２と一体化している。
【０１６６】
プレキャストフーチング６２においては、１つの突出さや管６２Ａに対して２つのフーチング内さや管６２Ｂが、突出さや管６２Ａの海側と陸側のそれぞれの側に配置されており、突出さや管６２Ａの中心と２つのフーチング内さや管６２Ｂの中心は、プレキャスト壁体４４、４６の法線方向（堤体９４（上部構造６０）の延びる方向）と直交する一直線上に位置している。そして、そのような位置関係にある突出さや管６２Ａとフーチング内さや管６２Ｂとは、法直連結鋼材６２Ｃ、６２Ｄにより連結されている。
【０１６７】
法直連結鋼材６２Ｃ、６２Ｄは、プレキャスト壁体４４、４６が津波流から受けた力を、壁体連結用鋼管６４から基礎連結用鋼管１６に伝達する役割を有する。法直連結鋼材６２Ｃ、６２Ｄが存在することにより、プレキャスト壁体４４、４６が津波流から受けた力は、プレキャスト壁体４４、４６→壁体連結用鋼管６４→突出さや管６２Ａ→法直連結鋼材６２Ｃ、６２Ｄ→フーチング内さや管６２Ｂ→基礎連結用鋼管１６→基礎構造１０→支持地盤１のように効率的に伝達していき、プレキャスト壁体４４、４６が津波流から受けた力は支持地盤１に効率的に伝達され、堤体９４は津波流に対して強力な抵抗力を発揮することができる。
【０１６８】
このため、法直連結鋼材６２Ｃ、６２Ｄは、津波流によって生じる断面力を伝達可能な強度および剛性を有することが必要であり、法直連結鋼材６２Ｃ、６２Ｄの断面形状は、想定される津波流に応じて計算により算出される。このため、法直連結鋼材６２Ｃ、６２Ｄとして各種規格に基づく既製の形鋼を用いると剛性不足や強度不足になることが多くなるので、鋼板からフランジ、ウェブを切り出し、溶接によりＩ型断面の部材をビルドアップで製作して最適な断面とすることが好ましい。
【０１６９】
本発明者の試設計の一例では、法直連結鋼材６２Ｃ、６２Ｄとして、７００ｍｍ×５００ｍｍｍ×１２ｍｍ×２５ｍｍのビルドアップＩ形鋼（上下のフランジが幅５００ｍｍ、厚さ２５ｍｍで、ウェブが高さ６５０ｍｍ、厚さ１２ｍｍであるビルドアップＩ形鋼）を計算で算定した。
【０１７０】
プレキャストフーチング６２においては、法直連結鋼材６２Ｃ、６２Ｄはその両端部が突出さや管６２Ａおよびフーチング内さや管６２Ｂに溶接により取り付けられているが、必要な応力伝達能力を確保できるのであれば、溶接ではなく機械的な連結機構を用いてもよい。
【０１７１】
なお、第２態様の上部構造６０は、側方から見ると図２８に示すように逆Ｔ字型となっており、法直連結鋼材６２Ｃ、６２Ｄの長さは同じ長さになっているが、法直連結鋼材６２Ｃ、６２Ｄの長さを同じ長さに揃えることは必ずしも必要ではなく、安全性を確保できるのであれば、法直連結鋼材６２Ｃ、６２Ｄのうちの一方を長くし、他方を短くしてもよい。後述する第４態様の上部構造１２０（図３５、図３６参照）では、法直連結鋼材の長さが異なっている。
【０１７２】
また、プレキャストフーチング６２においては、プレキャスト壁体４４、４６の法線方向（堤体９４（上部構造６０）の延びる方向）に隣り合うフーチング内さや管６２Ｂ同士（突出さや管６２Ａに対して海側にある隣り合うフーチング内さや管６２Ｂ同士、または突出さや管６２Ａに対して陸側にある隣り合うフーチング内さや管６２Ｂ同士）は法平連結鋼材６２Ｅにより連結されている。
【０１７３】
法平連結鋼材６２Ｅの主な役割は、コンクリートを打設する際、フーチングのさや管（突出さや管６２Ａ、フーチング内さや管６２Ｂ）同士の位置関係がずれないように保持することである。このため、法平連結鋼材６２Ｅの断面形状を計算により算出する必要はないので、法平連結鋼材６２Ｅには各種規格に基づく既製のＨ形鋼を用いればよく、具体的には例えば４００ｍｍ×２００ｍｍｍ×８ｍｍ×１３ｍｍのＨ形鋼（上下のフランジが幅２００ｍｍ、厚さ１３ｍｍで、ウェブが高さ３７４ｍｍ、厚さ８ｍｍであるＨ形鋼）等を用いることができる。なお、法平連結鋼材６２Ｅは必ずしも必須ではなく、突出さや管６２Ａおよびフーチング内さや管６２Ｂ同士の位置関係がずれないことを担保できるのであれば、法平連結鋼材６２Ｅを省略してもよい。
【０１７４】
次に、プレキャストフーチング６２が備えるさや管（突出さや管６２Ａ、フーチング内さや管６２Ｂ）について詳細に説明する。前述したように、プレキャストフーチング６２は、突出さや管貫通孔６２Ｘとフーチング内さや管貫通孔６２Ｙ（以下、貫通孔６２Ｘ、６２Ｙと記すことがある。）を有し、突出さや管貫通孔６２Ｘの内面に突出さや管６２Ａを備え、フーチング内さや管貫通孔６２Ｙの内面にフーチング内さや管６２Ｂを備えている（図３０参照）。突出さや管６２Ａには壁体さや管４４Ａが差し込まれ、フーチング内さや管６２Ｂには基礎構造１０から伸びてきている基礎連結用鋼管１６が差し込まれる。
【０１７５】
図２８、図３０に示すように、突出さや管６２Ａは、プレキャストフーチング６２を厚さ方向に貫通し、かつ、プレキャストフーチング６２の上面よりも上方の位置まで延伸している。一方、フーチング内さや管６２Ｂもプレキャストフーチング６２を厚さ方向に貫通しているが、プレキャストフーチング６２の上面よりも上方の位置までは延伸しておらず、フーチング内さや管６２Ｂの上端位置はプレキャストフーチング６２の上面と同じ高さ位置となっている。また、突出さや管６２Ａおよびフーチング内さや管６２Ｂ（以下、さや管６２Ａ、６２Ｂと記すことがある。）の下端位置は、どちらもプレキャストフーチング６２の下面と同じ高さ位置となっている。
【０１７６】
なお、図２８、図３０では、突出さや管６２Ａおよびフーチング内さや管６２Ｂの下端位置は、いずれもプレキャストフーチング６２の下面と同じ高さ位置となるようにし、フーチング内さや管６２Ｂの上端位置はプレキャストフーチング６２の上面と同じ高さ位置となるようにしているが、図５、図６に示した基礎フーチングさや管１２Ａの場合と同様に、突出さや管６２Ａおよびフーチング内さや管６２Ｂにおいても、突出さや管６２Ａおよびフーチング内さや管６２Ｂの下端位置は、どちらもプレキャストフーチング６２の下面よりも上方に位置してもよく、また、フーチング内さや管６２Ｂの上端位置はプレキャストフーチング６２の上面よりも下方に位置してもよい。即ち、突出さや管６２Ａは突出さや管貫通孔６２Ｘの内面を全面覆っていなくてもよく、フーチング内さや管６２Ｂはフーチング内さや管貫通孔６２Ｙの内面を全面覆っていなくてもよい。さや管６２Ａ、６２Ｂの腐食を防止する観点からは、突出さや管６２Ａおよびフーチング内さや管６２Ｂの下端位置は、どちらもプレキャストフーチング６２の下面よりも上方に位置した方が好ましく、フーチング内さや管６２Ｂの上端位置は、プレキャストフーチング６２の上面よりも下方に位置した方が好ましい。即ち、さや管６２Ａ、６２Ｂが外界に暴露しないようにある程度のかぶりを設けておくことが好ましい。
【０１７７】
また、図３、図５、図６に示した基礎フーチングさや管１２Ａの場合と同様に、突出さや管６２Ａおよびフーチング内さや管６２Ｂにおいても、貫通孔６２Ｘ、６２Ｙの内面全面をそれぞれ突出さや管６２Ａおよびフーチング内さや管６２Ｂが覆っている場合、貫通孔６２Ｘ、６２Ｙの内面全面がそれぞれ突出さや管６２Ａおよびフーチング内さや管６２Ｂで覆われていない場合、貫通孔６２Ｘ、６２Ｙの内面に見かけ上段差がない場合、見かけ上段差がある場合のいずれの場合も、貫通孔６２Ｘ、６２Ｙの内面にそれぞれ突出さや管６２Ａおよびフーチング内さや管６２Ｂを備えているものとする。
【０１７８】
また、突出さや管６２Ａおよびフーチング内さや管６２Ｂは、プレキャストフーチング６２のコンクリート打設時にはそれぞれ貫通孔６２Ｘ、６２Ｙ形成のための型枠の役割を果たし、突出さや管６２Ａおよびフーチング内さや管６２Ｂの外面はコンクリート打設と同時にプレキャストフーチング６２に埋め込まれ、（法直連結鋼材６２Ｃ、６２Ｄおよび法平連結鋼材６２Ｅの寄与を考えなければ）コンクリートとの付着力により、プレキャストフーチング６２と一体化している。換言すれば、法直連結鋼材６２Ｃ、６２Ｄおよび法平連結鋼材６２Ｅの寄与を考えなければ、突出さや管６２Ａおよびフーチング内さや管６２Ｂはコンクリートとの付着力によりそれぞれ貫通孔６２Ｘ、６２Ｙの内面へ取り付けられている。コンクリートとの付着力を向上させる点で、突出さや管６２Ａの外面にはずれ止め（シアキー）を設けることが好ましい。ずれ止め（シアキー）としては、例えば丸鋼、溶接ビード、角鋼等を用いることができる。突出さや管６２Ａは、大津波を受けた時の断面力を確実にフーチングに伝達できるようにするのに必要な長さ以上プレキャストフーチング６２の中に埋め込まれていることが好ましい。
【０１７９】
また、突出さや管６２Ａおよびフーチング内さや管６２Ｂの材質は特に限定されず、所定以上の強度、弾性率、およびグラウト材との所定以上の接着力等を有する材料であればよく、例えば鉄鋼材料を好適に用いることができる。
【０１８０】
また、プレキャストフーチング６２の上面と地表面との位置関係は特に限定されず、プレキャストフーチング６２の上面が地表面とほぼ一致するようにしてもよい。また、プレキャストフーチング６２の上面に盛土があってもよく、この場合はプレキャストフーチング６２の上面は地表面よりも下方になる。また、プレキャストフーチング６２の下面が地表面とほぼ一致するようにする場合は、プレキャストフーチング６２の海側前面に遮水矢板を設けることが好ましい。この場合はプレキャストフーチング６２の上面は地表面よりも上方になる。ただし、先に述べた第１〜第３態様の基礎構造１０、２０、３０を用いる場合には、安全性が確認できれば、プレキャストフーチング６２の海側前面に遮水矢板を設けることを省略してもよい。
【０１８１】
なお、本実施形態では、突出さや管６２Ａは突出さや管貫通孔６２Ｘの内面に備えられているが、突出さや管６２Ａが設けられる孔は必ずしも貫通孔である必要はなく、少なくとも上方に開口した孔（上方開口孔）であればよい。
【０１８２】
また、本実施形態では、フーチング内さや管６２Ｂはフーチング内さや管貫通孔６２Ｙの内面に備えられているが、フーチング内さや管６２Ｂが設けられる孔は必ずしも貫通孔である必要はなく、少なくとも下方に開口した孔（下方開口孔）であればよい。
【０１８３】
次に、プレキャストフーチング６２と最下段のプレキャスト壁体４４との接合部をさらに詳細に説明する。プレキャストフーチング６２と最下段のプレキャスト壁体４４との接合部にはプレキャストフーチング６２の突出さや管６２Ａが配置されている。
【０１８４】
プレキャストフーチング６２と最下段のプレキャスト壁体４４との接合部を水平面で切断した断面において突出さや管６２Ａの部位付近の構造は、第１態様の上部構造４０と同様であり、大津波を受けた時に大きな断面力の生じるプレキャストフーチング６２と最下段のプレキャスト壁体４４との接合部は、壁体連結用鋼管６４の周囲を突出さや管６２Ａが囲み、さらに突出さや管６２Ａの周囲を壁体さや管４４Ａが囲んだ構造となっている。
大津波を受けた時に生じる断面力は、プレキャストフーチング６２と最下段のプレキャスト壁体４４との接合部で最も過大となるが、その接合部では壁体連結用鋼管６４の周囲を突出さや管６２Ａが囲んでおり、壁体連結用鋼管６４と突出さや管６２Ａとの間のグラウト材４８は壁体連結用鋼管６４と突出さや管６２Ａとによりはさまれて強力に拘束されており、壁体連結用鋼管６４からグラウト材４８を介して突出さや管６２Ａへと効率的に断面力は伝達される。突出さや管６２Ａへ伝達された断面力は、法直連結鋼材６２Ｃ、６２Ｄを介してフーチング内さや管６２Ｂへ伝達される。そして、さらに基礎連結用鋼管１６を経て基礎構造１０から支持地盤１へと効率的に伝達される。このように、堤体９４が大津波を受けた時に生じる断面力は支持地盤１へ効率的に伝達され、大津波に抵抗することができる。
【０１８５】
ここで、突出さや管６２Ａと２つのフーチング内さや管６２Ｂとは、次のような位置関係、即ち、１つの突出さや管６２Ａに対して２つのフーチング内さや管６２Ｂが、突出さや管６２Ａの海側と陸側のそれぞれの側に配置されており、突出さや管６２Ａの中心と２つのフーチング内さや管６２Ｂの中心が、プレキャスト壁体４４の法線方向（堤体９４（上部構造６０）の延びる方向）と直交する一直線上に位置している位置関係にある。また、これらの突出さや管６２Ａおよびフーチング内さや管６２Ｂを、構造計算により求められた必要な断面形状を有する法直連結鋼材６２Ｃ、６２Ｄがプレキャスト壁体４４の法線方向（堤体９４（上部構造６０）の延びる方向）と直交する方向に連結している。このため、第１態様の上部構造４０のように基礎連結用鋼管１６がプレキャスト壁体４４を貫通せずプレキャスト壁体４４が基礎連結用鋼管１６の真上に位置していなくても、プレキャスト壁体４４、４６が津波流から受ける力は、プレキャスト壁体４４、４６→壁体連結用鋼管６４→突出さや管６２Ａ→法直連結鋼材６２Ｃ、６２Ｄ→フーチング内さや管６２Ｂ→基礎連結用鋼管１６→基礎構造１０→支持地盤１のように効率的に伝達していき、プレキャスト壁体４４、４６が津波流から受けた力は支持地盤１に効率的に伝達され、堤体９４は津波流に対して安定した抵抗力を発揮することができる。
【０１８６】
即ち、第２態様の上部構造６０を備えた堤体９４は、プレキャスト壁体４４、４６が基礎連結用鋼管１６の真上に位置していなくても、津波流に対して安定した抵抗力を発揮することができるので、既設構造物との取り合いあるいは土地利用の制限から、杭、壁体ぞれぞれの位置が制約を受ける場合であっても、基礎連結用鋼管１６とプレキャスト壁体４４、４６との位置関係をフレキシブルに変更でき、設計の自由度が向上しており、経済的な堤体の構造を成立させることができる。また、プレキャスト壁体４４、４６の位置に関らず、プレキャスト壁体４４、４６の法線方向（堤体９４（上部構造６０）の延びる方向）と直交する方向に並んだ基礎連結用鋼管１６間の距離を大きくすることができるので、堤体９４の津波力に対する抵抗力を向上させることができ、１本の基礎連結用鋼管１６あたりの壁体（プレキャスト壁体４４、４６）の幅（壁体の法線方向の幅）を大きくすることができる。
【０１８７】
また、第２態様の上部構造６０では突出さや管６２Ａの周囲をさらに壁体さや管４４Ａが囲んでおり、突出さや管６２Ａと壁体さや管４４Ａとの間のグラウト材４８も突出さや管６２Ａと壁体さや管４４Ａとによりはさまれて強力に拘束されており、壁体さや管４４Ａから突出さや管６２Ａへも断面力が効率的に伝達され、そしてその伝達された断面力は法直連結鋼材６２Ｃ、６２Ｄを介してフーチング内さや管６２Ｂへ伝達される。そして、さらに基礎連結用鋼管１６を経て基礎構造１０から支持地盤１へと効率的に伝達される。このように、堤体９４が大津波を受けた時に生じる断面力は支持地盤１へ効率的に伝達されるので、大津波に対しても安定した抵抗力を発揮することができる。
【０１８８】
なお、壁体連結用鋼管６４と突出さや管６２Ａとの間の応力伝達は、主にグラウト材２２を介しての付着力によりなされるので、壁体連結用鋼管６４とグラウト材４８との付着力および突出さや管６２Ａとグラウト材４８との付着力は向上させておくことが好ましい。このため、壁体連結用鋼管６４の外面および突出さや管６２Ａの内面にはずれ止め（シアキー）を設けることが好ましい。ずれ止め（シアキー）としては、例えば丸鋼、溶接ビード、角鋼等を用いることができる。
【０１８９】
プレキャストフーチング６２と最下段のプレキャスト壁体４４との接合部を耐力面から考えてみると、その接合部の水平断面には、壁体連結用鋼管６４とプレキャストフーチング６２の突出さや管６２Ａと最下段のプレキャスト壁体４４の壁体さや管４４Ａが存在しており、これら３つの鋼管により鋼材量を稼ぐことができ、大津波を受けた時に生じる断面力に対しても十分な量の鋼材で抵抗することができる。また、壁体連結用鋼管６４と突出さや管６２Ａと壁体さや管４４Ａによる鋼材量で足りない時でも、比較的少量の鉄筋を追加するだけで済むので、良好な施工性を確保できる。これに対して、鉄筋のみで必要な鋼材量を確保しようとすると、鉄筋の配置が密になりすぎ、グラウト材充填時の施工性を確保しつつ鉄筋を配置することが困難になることがある。また、鉄筋のみで必要な鋼材量を確保できたとしても、現場で鉄筋を配置する工程が必要となり、現地施工期間が長くなってしまう。
【０１９０】
以上述べたように、プレキャストフーチング６２の突出さや管６２Ａと最下段のプレキャスト壁体４４の壁体さや管４４Ａは、グラウト材４８を拘束する観点、および接合部の水平断面における鋼材量を稼ぐ観点から、ある程度以上の板厚を有していることが好ましい。具体的には例えば、突出さや管６２Ａの板厚は突出さや管６２Ａの半径（中心から外縁までの距離）の７０分の１以上９分の１以下、かつ最小板厚７．９ｍｍとすることが好ましく、壁体さや管４４Ａの板厚は壁体さや管４４Ａの半径（中心から外縁までの距離）の７０分の１以上９分の１以下、かつ最小板厚７．９ｍｍとすることが好ましい。なお、好ましい範囲の上限値は効果と経済性の観点から定めたものである。
【０１９１】
プレキャストフーチング６２の突出さや管６２Ａの長さは、大津波を受けた時に生じる断面力を、壁体連結用鋼管６４と突出さや管６２Ａとの間、および突出さや管６２Ａと壁体さや管４４Ａとの間で効率的に伝達するのに必要な長さに設定する。具体的には例えば、他の部位の破壊前に突出さや管６２Ａとグラウト材４８との間で剥離が生じない長さに設定することが考えられるが、壁体連結用鋼管６４と突出さや管６２Ａとの間、および突出さや管６２Ａと壁体さや管４４Ａとの間の断面力の伝達をより安定させる点で、突出さや管６２Ａの上端は最下段のプレキャスト壁体４４の高さの２分の１以上の高さ位置に達していることが好ましい。また、突出さや管６２Ａとグラウト材４８との間の接着力を向上させるために、突出さや管６２Ａの外面と内面の両面に機械的な凹凸等を設けたり、グラウト材４８との間の接着力を向上させる下地剤等を塗布しておくことも好ましい。
【０１９２】
突出さや管６２Ａよりも上側に位置する壁体連結用鋼管６４の部位と壁体さや管４４Ａ、４６Ａとの間の断面力の伝達、および突出さや管６２Ａと壁体さや管４４Ａとの間の断面力の伝達は、相互に水平方向の力の伝達ができればよいので、突出さや管６２Ａよりも上側に位置する壁体連結用鋼管６４の部位と壁体さや管４４Ａ、４６Ａとの間および突出さや管６２Ａと壁体さや管４４Ａとの間にグラウト材４８を注入してもよいが、図２６に示す場合と同様に、突出さや管６２Ａよりも上側に位置する壁体連結用鋼管６４の部位と壁体さや管４４Ａ、４６Ａとの間および突出さや管６２Ａと壁体さや管４４Ａとの間に支圧力を伝達する鋼製の支圧板５０を設置することで断面力の伝達を図ってもよい。支圧板５０の形状は、壁体連結用鋼管６４の外面および壁体さや管４４Ａ、４６Ａの内面の形状、または突出さや管６２Ａの外面および壁体さや管４４Ａの内面の形状に合う形状になっており、かつ、所定以上の面積（例えば押し抜きせん断力によって座屈や破壊が起こらないのに必要な面積）で壁体連結用鋼管６４および突出さや管６２Ａの外面ならびに壁体さや管４４Ａ、４６Ａの内面と接触するようになっており、壁体連結用鋼管６４、突出さや管６２Ａと壁体さや管４４Ａ、４６Ａとの間で支圧力を良好に伝達できるようになっている。支圧板５０は壁体連結用鋼管６４の高さ方向の全長にわたって配置する必要はなく、断面力の伝達の必要に応じて離散的に配置すればよい。支圧板５０は必要な支圧力の伝達ができる材質であれば特に限定されず、鋼製に限られない。
【０１９３】
以上、基礎連結用鋼管１６の真上にプレキャスト壁体４４、４６が位置しない第２態様の上部構造６０を説明したが、基礎連結用鋼管１６とプレキャスト壁体４４、４６との位置関係（基礎連結用鋼管１６と突出さや管６２Ａとの位置関係）は第２態様の上部構造６０における位置関係（プレキャスト壁体４４、４６の法線方向（堤体９４の延びる方向）と直交する方向に並んだ基礎連結用鋼管１６の間であって、並んだ基礎連結用鋼管１６の略中間位置にプレキャスト壁体４４、４６（突出さや管６２Ａ）が位置する位置関係）に限られず、プレキャスト壁体４４、４６の法線方向（堤体９４の延びる方向）と直交する方向に並んだ基礎連結用鋼管１６の中間位置からずれた位置にプレキャスト壁体４４、４６（突出さや管６２Ａ）が位置する位置関係であってもよい。また、プレキャスト壁体４４、４６の法線方向（堤体９４の延びる方向）と直交する方向に並んだ基礎連結用鋼管１６の間にプレキャスト壁体４４、４６（突出さや管６２Ａ）が位置しない位置関係であってもよく、このような位置関係の第３態様の上部構造７０および本発明の第３実施形態に係る堤体９６を図３１に示し、これらに用いられるプレキャストフーチング７２を図３２に示す。
【０１９４】
図３１に示す第３態様の上部構造７０および本発明の第３実施形態に係る堤体９６においては、第２態様の上部構造６０および本発明の第２実施形態に係る堤体９４の構成要素と対応する構成要素には同一の符号を付し、説明は省略する。
【０１９５】
第３態様の上部構造７０および本発明の第３実施形態に係る堤体９６においては、プレキャスト壁体４４、４６の法線方向（堤体９６の延びる方向）と直交する方向に並んだ基礎連結用鋼管１６の間にプレキャスト壁体４４、４６（突出さや管７２Ａ）が位置しないため、法直連結鋼材７２Ｃはプレキャスト壁体４４、４６の法線方向と直交する方向に並んだフーチング内さや管７２Ｂ同士の間を連結し、法直連結鋼材７２Ｄはプレキャスト壁体４４、４６の法線方向と直交する方向に並んだ突出さや管７２Ａとフーチング内さや管７２Ｂとの間を連結している。
【０１９６】
以上説明した上部構造の第２、第３態様では、基礎連結用鋼管１６の真上にプレキャスト壁体４４、４６を配置する必要はなく、基礎連結用鋼管１６とプレキャスト壁体４４、４６との位置関係を任意に設定することが可能であり、基礎連結用鋼管１６とプレキャスト壁体４４、４６との位置関係をフレキシブルに変更することが可能である。このため、上部構造の第２、第３態様は、基礎連結用鋼管１６の真上にプレキャスト壁体４４、４６を配置する必要のある上部構造の第１態様よりも、設計の自由度を向上させることができ、経済的な堤体の構造を成立させることができる場合がある。
【０１９７】
なお、以上説明した第１〜第３態様の上部構造４０、６０、７０では、突出さや管４２Ａ、６２Ａ、７２Ａ、壁体さや管４４Ａ、４６Ａ、壁体連結用鋼管６４として円筒状の鋼管を用いたが、必ずしも円筒状の鋼管でなくてもよく、例えば断面が矩形状の鋼管であってもよい。
【０１９８】
３．堤体
本発明に係る堤体の実施形態は、基礎構造１０、２０、３０のいずれかに、上部構造４０、６０、７０のいずれかを組み合わせて構成した堤体である。
【０１９９】
すでに「２．上部構造」の記載の中で、本発明に係る堤体の実施形態として、第１実施形態の堤体９０（基礎構造１０＋上部構造４０）を図１６および図１７に示し、第１実施形態の変形例の堤体９２（基礎構造１０＋上部構造４０）を図２６に示し、第２実施形態の堤体９４（基礎構造１０＋上部構造６０）を図２８および図２９に示し、第３実施形態の堤体９６（基礎構造１０＋上部構造７０）を図３１に示しているが、いずれも堤体の延びる方向（プレキャスト壁体４４、４６の延びる方向）が基礎構造１０の基礎ブロック構造１１の壁面１１Ａと略平行な水平方向となっている。
【０２００】
そこで、堤体の延びる方向（プレキャスト壁体４４、４６の延びる方向）が基礎構造１０の基礎ブロック構造１１の壁面１１Ａと直交する方向となっている堤体９８（基礎構造３０＋上部構造４０）（第４実施形態）および堤体１００（基礎構造３０＋上部構造６０）（第５実施形態）をそれぞれ図３３、図３４に示しておく。図３３は第４実施形態に係る堤体９８をその法線方向から見た側面図であり、図３４は第５実施形態に係る堤体１００をその法線方向から見た側面図である。
【０２０１】
第４、第５実施形態の堤体９８、１００を構成する部材については、先に説明した第１〜第３実施形態の説明の中で同様の部材についてすでに説明しているので、先の説明の中の対応する部材と同一の符号を付し、説明は省略する。
【０２０２】
なお、第１〜第３態様の基礎構造１０、２０、３０の説明の中で、基礎連結用鋼管１６に替えて例えばＨ形鋼等の形鋼を用いることができ、また、鋼板からビルドアップして製作されている鋼材を用いることも可能である旨記載した。また、第２、第３態様の上部構造６０、７０の説明の中で、壁体連結用鋼管６４に替えて例えばＨ形鋼等の形鋼を用いることができ、また、鋼板からビルドアップして製作されている鋼材を用いることも可能である旨記載した。
【０２０３】
そこで、基礎構造において基礎連結用鋼管１６に替えてＨ形の鋼材１７を用い、上部構造において壁体連結用鋼管６４に替えてＨ形の鋼材６５を用いた第６実施形態に係る堤体１０２（第４態様の基礎構造１１０、第４態様の上部構造１２０）を図３５、図３６に示しておく。図３５は第６実施形態に係る堤体１０２をその法線方向から見た側面図であり、図３６は図３５のＸＸＸＶＩ−ＸＸＸＶＩ線断面図である。ただし、図３５では図示をわかりやすくする都合上、本来は見えない内部の構造を記載した箇所もあり、当該箇所では、本来隠れ線として破線で記載すべき線も実線で記載している箇所もある。また、第１〜第３態様の基礎構造１０、２０、３０および第１〜第３態様の上部構造４０、６０、７０の構成要素と対応する構成要素には同一の符号を付し、説明は省略する。
【０２０４】
第１〜第３態様の基礎構造１０、２０、３０では、基礎ブロックを連結するために基礎連結用鋼材として円筒状の鋼管である基礎連結用鋼管１６を用いたが、本第６実施形態に係る堤体１０２の基礎構造１１０では、基礎連結用鋼材として基礎連結用鋼管１６に替えてＨ形の鋼材１７を用いている。また、第１〜第３態様の基礎構造１０、２０、３０では、基礎フーチングさや管１２Ａ、基礎壁体さや管１４Ａとして円筒状の鋼管を用いていたが、本第４態様の基礎構造１１０では、円筒状の鋼管に替えて、基礎フーチングブロック１２では断面が矩形状の基礎フーチングさや管１２Ｄを用い、基礎壁体ブロック１４では断面が矩形状の基礎壁体さや管１４Ｃを用いている。
【０２０５】
また、第１〜第３態様の上部構造４０、６０、７０では、プレキャストフーチングおよびプレキャスト壁体を連結するために壁体連結用鋼材として円筒状の鋼管である壁体連結用鋼管６４を用いたが、本第６実施形態に係る堤体１０２の上部構造１２０では、壁体連結用鋼材として壁体連結用鋼管６４に替えてＨ形の鋼材６５を用いている。また、第１〜第３態様の上部構造４０、６０、７０では、突出さや管４２Ａ、６２Ａ、７２Ａ、フーチング内さや管４２Ｂ、６２Ｂ、７２Ｂ、壁体さや管４４Ａ、４６Ａとして円筒状の鋼管を用いていたが、本第４態様の上部構造１２０では、円筒状の鋼管に替えて、プレキャストフーチング１２２では断面が矩形状の突出さや管１２２Ａおよびフーチング内さや管１２２Ｂを用い、プレキャスト壁体では断面が矩形状の壁体さや管４４Ｄ、４６Ｃを用いている。
【０２０６】
本第６実施形態に係る堤体１０２（基礎構造１１０、上部構造１２０）で用いるＨ形の鋼材１７、６５は、想定される津波流に対する安全性が確認できれば、各種規格に基づく既成品であるＨ形鋼やＩ形鋼等であってもよいが、想定される津波流に対して既成品では強度や剛性が不足する場合には、必要な強度や剛性を確保するべくビルドアップして製作したＨ形やＩ形の鋼材を用いる。
【０２０７】
本第６実施形態に係る堤体１０２（基礎構造１１０、上部構造１２０）では、連結用鋼材としてＨ形の鋼材１７、６５を用いており、ビルドアップして製作したＨ形やＩ形の鋼材を用いることもできるので、桁高やフランジ幅を調節しやすく、経済的な設計を行いやすい。
【０２０８】
本第６実施形態に係る堤体１０２（基礎構造１１０、上部構造１２０）において、基礎フーチングさや管１２ＤとＨ形の鋼材１７との間にはグラウト材が充填されて一体化しており、さらに、基礎壁体さや管１４ＣとＨ形の鋼材１７との間にもグラウト材が充填されて一体化している。また、突出さや管１２２ＡとＨ形の鋼材６５との間にはグラウト材が充填されて一体化しており、さらに、突出さや管１２２Ａよりも上側に位置するＨ形の鋼材６５の部位と壁体さや管４４Ｄ、４６Ｃとの間にもグラウト材が充填されて一体化している。
【０２０９】
ただし、突出さや管１２２Ａよりも上側に位置するＨ形の鋼材６５の部位と壁体さや管４４Ｄ、４６Ｃとの間の断面力の伝達、および突出さや管１２２Ａと壁体さや管４４Ｄとの間の断面力の伝達は、相互に水平方向の力の伝達ができればよいので、突出さや管１２２Ａよりも上側に位置するＨ形の鋼材６５の部位と壁体さや管４４Ｄ、４６Ｃとの間および突出さや管１２２Ａと壁体さや管４４Ｄとの間には、グラウト材を注入することに替えて、支圧力を伝達する鋼製の支圧板等の部材（必要な支圧力の伝達ができる材質であればよく、材質は鋼製に限られない）を設置してもよい。
【０２１０】
なお、本第６実施形態に係る堤体１０２（基礎構造１１０、上部構造１２０）では、基礎フーチングさや管１２Ｄ、基礎壁体さや管１４Ｃ、および突出さや管１２２Ａ、フーチング内さや管１２２Ｂ、壁体さや管４４Ｄ、４６Ｃに断面が矩形状の鋼管を用いているが、断面が矩形状の鋼管でなくてもよく、第１〜第５実施形態に係る堤体９０、９４、９６、９８、１００と同様の円筒状の鋼管を用いることもできる。ただし、円筒状の鋼管にＨ形の鋼材を差し込む場合、Ｈ形の鋼材の桁高を大きくするとＨ形の鋼材のフランジ幅を小さくする必要があり、Ｈ形の鋼材のフランジ幅を大きくするとＨ形の鋼材の桁高を小さくする必要があるので、Ｈ形の鋼材１７、６５を連結用に用いる場合には、基礎フーチングさや管１２Ｄ、基礎壁体さや管１４Ｃ、突出さや管１２２Ａ、フーチング内さや管１２２Ｂおよび壁体さや管４４Ｄ、４６Ｃに、本第６実施形態のように断面が矩形状の鋼管を用いた方が経済的な設計が行いやすい。
【０２１１】
以上、本発明の実施形態に係る堤体を説明してきたが、本発明の実施形態で用いる各種のプレキャスト部材の製作は、運搬の手間を少なくするため、現地近傍で行うのがよい。また、本発明の実施形態で用いる各種のプレキャスト部材の重量は例えば２０ｔ程度を目安とすることができる。
【０２１２】
４．前記実施形態の効果
以上説明してきたように、本発明の実施形態に係る堤体は、その基礎構造および上部構造のどちらにおいてもプレキャスト部材が用いられており、プレキャスト部材を鋼材で連結して構成されている。
【０２１３】
このため、本発明の実施形態に係る堤体を設置するにあたり、基礎コンクリートを現場で打設することおよび地盤改良を行うことは、原則として必要ではない。このため、本発明の実施形態に係る堤体を用いることにより、原則として地盤改良を行わなくても、現場での生コンクリートの使用量を大幅に削減することができる。また、施工期間の短縮化も図ることができる。
【０２１４】
また、本実施形態の堤体では基礎構造と上部構造とが一体化されており、かつ、基礎構造の最下段で用いる基礎フーチングブロックは水平方向に張り出した形状であり、広い接地面積を有している。このため、本実施形態の堤体では、基礎構造と上部構造とが一体となって外力に抵抗することができ、基礎構造と上部構造とを合わせた堤体全体の構造を合理的な構造とすることができる。具体的には例えば、上部構造で用いるプレキャストフーチングの幅を、杭基礎の場合と比べて狭くすることができる。
【符号の説明】
【０２１５】
１…支持地盤
１０、２０、３０、１１０…基礎構造
１１、２１、３１…基礎ブロック構造
１１Ａ、２１Ａ、３１Ａ…基礎ブロック構造の壁面
１２、２２、３２…基礎フーチングブロック
１２Ａ、１２Ｄ、２２Ａ、３２Ａ…基礎フーチングさや管
１２Ｂ、２２Ｂ、３２Ｂ…さや管連結鋼材
１２Ｃ、２２Ｃ、２２Ｄ、３２Ｃ、３２Ｄ…水平方向に張り出した部位
１２Ｘ、２２Ｘ、３２Ｘ…貫通孔
１４…基礎壁体ブロック
１４Ａ、１４Ｃ…基礎壁体さや管
１４Ｂ…さや管連結鋼材
１４Ｘ…貫通孔
１６…基礎連結用鋼管
１７、６５…Ｈ形の鋼材
１８…中詰め土
４０、６０、７０、１２０…上部構造
４２、６２、７２、１２２…プレキャストフーチング
４２Ａ、６２Ａ、７２Ａ、１２２Ａ…突出さや管
４２Ｂ、６２Ｂ、７２Ｂ、１２２Ｂ…フーチング内さや管
４２Ｃ…さや管連結鋼材
４２Ｘ、６２Ｘ…突出さや管貫通孔
４２Ｙ、６２Ｙ…フーチング内さや管貫通孔
４４…プレキャスト壁体
４４Ａ、４４Ｄ、４６Ａ、４６Ｃ…壁体さや管
４４Ｂ、４６Ｂ…テーパー部
４４Ｃ…接合部
４４Ｘ、４６Ｘ…壁体貫通孔
４６…最上段プレキャスト壁体
４８…グラウト材
５０…支圧板
５２…ゴムパッキン
５４Ａ…仮蓋
５４Ｂ…養生材
５６…蓋
６２Ｃ、６２Ｄ、７２Ｃ、７２Ｄ…法直連結鋼材
６２Ｅ…法平連結鋼材
６４…壁体連結用鋼管
９０、９２、９４、９６、９８、１００、１０２…堤体
【図１】
2015040440.tif 000003
【図２】
2015040440.tif 000004
【図３】
2015040440.tif 000005
【図４】
2015040440.tif 000006
【図５】
2015040440.tif 000007
【図６】
2015040440.tif 000008
【図７】
2015040440.tif 000009
【図８】
2015040440.tif 000010
【図９】
2015040440.tif 000011
【図１０】
2015040440.tif 000012
【図１１】
2015040440.tif 000013
【図１２】
2015040440.tif 000014
【図１３】
2015040440.tif 000015
【図１４】
2015040440.tif 000016
【図１５】
2015040440.tif 000017
【図１６】
2015040440.tif 000018
【図１７】
2015040440.tif 000019
【図１８】
2015040440.tif 000020
【図１９】
2015040440.tif 000021
【図２０】
2015040440.tif 000022
【図２１】
2015040440.tif 000023
【図２２】
2015040440.tif 000024
【図２３】
2015040440.tif 000025
【図２４】
2015040440.tif 000026
【図２５】
2015040440.tif 000027
【図２６】
2015040440.tif 000028
【図２７】
2015040440.tif 000029
【図２８】
2015040440.tif 000030
【図２９】
2015040440.tif 000031
【図３０】
2015040440.tif 000032
【図３１】
2015040440.tif 000033
【図３２】
2015040440.tif 000034
【図３３】
2015040440.tif 000035
【図３４】
2015040440.tif 000036
【図３５】
2015040440.tif 000037
【図３６】
2015040440.tif 000038